(57)【要約】【課題】不特定多数の人数を被測定者とする会社または事業所において、ＰＣに替えてレシーバを用いた場合であっても被測定者とその測定データとを関連付けできる生体データ管理システム等を提供する。【解決手段】歩数計１０が歩数計１０のＩＤと被測定者に関して測定した測定データとを含む測定情報ＭＩをレシーバ４０へ送信する。生体データ測定器２０等が被測定者に関して生体データＢＤを測定してレシーバ４０へ送信する。生体データ管理部４２は測定情報ＭＩに含まれる歩数計１０のＩＤに対応する被測定者のＩＤと生体データＢＤとを関連付けてデータベース５０ｂに記録する等の管理を行う。レシーバ４０内のＤＢ５０ａには予め歩数計１０のＩＤと被測定者のＩＤとが紐付けされて記録されている。生体データ管理部４２は、ＤＢ５０ａを検索することにより、送信された測定情報ＭＩに含まれる歩数計１０のＩＤと紐付けされた被測定者のＩＤを得る。【選択図】  図１
2009000392.tif 000002
【特許請求の範囲】
【請求項１】
データ測定器と、生体データ測定器と、該データ測定器及び該生体データ測定器と有線又は無線で接続されたデータ送受信装置とを備えた生体データ管理システムであって、
前記データ測定器は、該データ測定器の識別子と被測定者に関して測定した測定データとを含む測定情報を前記データ送受信装置へ送信する測定情報送信手段を備え、
前記生体データ測定器は、
被測定者に関して生体データを測定する生体データ測定手段と、
前記生体データ測定手段により測定した生体データを前記データ送受信装置へ送信する生体データ送信手段とを備え、
前記データ送受信装置は、前記測定情報送信手段により送信された測定情報に含まれる前記データ測定器の識別子に対応した被測定者の識別子と前記生体データ送信手段により送信された生体データとを関連付けて管理する生体データ管理手段を備えたことを特徴とする生体データ管理システム。
【請求項２】
請求項１記載の生体データ管理システムにおいて、前記生体データ測定器が生体データの測定に際し被測定者に関する所定の設定情報を要する場合、
前記データ送受信装置は、前記生体データ管理手段による管理に先立ち、
前記測定情報送信手段により送信された前記データ測定器の識別子に対応する被測定者の識別子と関連付けて管理された所定の設定情報の有無を判断する判断手段と、
前記判断手段により被測定者の識別子と関連付けて管理された所定の設定情報が有ると判断された場合、被測定者の識別子と関連付けて管理された所定の設定情報を前記生体データ測定器へ送信するデータ送受信装置側設定情報送信手段とをさらに備え、
前記生体データ測定手段は、前記データ送受信装置側設定情報送信手段により送信された所定の設定情報に基づき被測定者に関して生体データを測定することを特徴とする生体データ管理システム。
【請求項３】
請求項２記載の生体データ管理システムにおいて、前記判断手段により被測定者の識別子と関連付けて管理された所定の設定情報が有ると判断されなかった場合、
前記生体データ測定器は、
前記データ送受信装置から送信された所定の通知に基づき所定の設定情報を入力させる設定情報入力手段と、
前記設定情報入力手段により入力させた所定の設定情報を前記データ送受信装置へ送信する設定情報送信手段とをさらに備え、
前記データ送受信装置は、
所定の通知を前記生体データ測定器へ送信する通知手段と、
前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、
前記生体データ測定手段は、前記設定情報入力手段により入力された所定の設定情報に基づき被測定者に関して生体データを測定することを特徴とする生体データ管理システム。
【請求項４】
請求項２記載の生体データ管理システムにおいて、前記判断手段により被測定者の識別子と関連付けて管理された所定の設定情報が有ると判断されなかった場合、
前記データ測定器は、
前記データ送受信装置から送信された所定の通知に基づき所定の設定情報を入力させる設定情報入力手段と、
前記設定情報入力手段により入力させた所定の設定情報を前記データ送受信装置へ送信する設定情報送信手段とをさらに備え、
前記データ送受信装置は、
所定の通知を前記データ測定器へ送信する通知手段と、
前記測定情報送信手段により送信された前記データ測定器の識別子に対応する測定情報に含まれる被測定者の識別子と前記設定情報送信手段により送信された所定の設定情報とを関連付けて管理する設定情報管理手段と、
前記設定情報管理手段により被測定者の識別子と関連付けて管理された所定の設定情報を前記生体データ測定器へ送信する初回データ送受信装置側設定情報送信手段とをさらに備え、
前記生体データ測定手段は、前記初回データ送受信装置側設定情報送信手段により送信された所定の設定情報に基づき被測定者に関して生体データを測定することを特徴とする生体データ管理システム。
【請求項５】
請求項２記載の生体データ管理システムにおいて、前記判断手段により被測定者の識別子と関連付けて管理された所定の設定情報が有ると判断されなかった場合、
前記データ測定器は、
前記データ送受信装置から送信された所定の通知に基づき所定の設定情報を入力させる設定情報入力手段と、
前記設定情報入力手段により入力させた所定の設定情報を前記データ送受信装置及び前記生体データ測定器へ送信する設定情報送信手段とをさらに備え、
前記データ送受信装置は、
所定の通知を前記データ測定器へ送信する通知手段と、
前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、
前記生体データ測定手段は、前記設定情報送信手段により送信された所定の設定情報に基づき被測定者に関して生体データを測定することを特徴とする生体データ管理システム。
【請求項６】
請求項１乃至５のいずれかに記載の生体データ管理システムにおいて、前記データ送受信装置は、前記測定情報送信手段により前記データ送受信装置へ測定情報が送信された後、被測定者に対する所定の出力を行う出力手段をさらに備えたことを特徴とする生体データ管理システム。
【請求項７】
請求項１乃至６のいずれかに記載の生体データ管理システムにおいて、
前記データ送受信装置は、前記生体データ管理手段により管理された被測定者の識別子と該被測定者の識別子に関連付けられた生体データとを、ネットワークを介して該データ送受信装置と接続されたサーバへ送信するデータ送受信装置側生体データ送信手段をさらに備え、
前記サーバは、１つ以上のデータ送受信装置におけるデータ送受信装置側生体データ送信手段で送信された一人以上の被測定者の識別子と該被測定者の識別子に関連付けられた１種類以上の生体データとに基づき作成された生体データ記録部を備えたことを特徴とする生体データ管理システム。
【請求項８】
請求項７記載の生体データ管理システムにおいて、前記サーバとネットワークを介して接続され、該サーバの生体データ記録部の有するデータを提供された他のサーバをさらに備えたことを特徴とする生体データ管理システム。
【請求項９】
生体データ測定器と有線又は無線で接続されたデータ送受信装置に有線又は無線で接続されたデータ測定器であって、
データ測定器の識別子と被測定者に関して測定した測定データとを含む測定情報を前記データ送受信装置へ送信する測定情報送信手段を備え、
前記データ送受信装置によって、前記測定情報送信手段により送信された測定情報に含まれる前記データ測定器の識別子に対応した被測定者の識別子と、前記生体データ測定器により被測定者に関して測定され前記データ送受信装置へ送信された生体データとが関連付けて管理されることを特徴とするデータ測定器。
【請求項１０】
請求項９記載のデータ測定器において、前記生体データ測定器が生体データの測定に際し被測定者に関する所定の設定情報を要する場合、
前記データ送受信装置によって、前記管理に先立ち、前記測定情報送信手段により送信された前記データ測定器の識別子に対応する被測定者の識別子と関連付けて管理された所定の設定情報の有無が判断され、
前記判断により被測定者の識別子と関連付けて管理された所定の設定情報が有ると判断された場合、被測定者の識別子と関連付けて管理された所定の設定情報が前記生体データ測定器へ送信され、
前記生体データ測定器によって、前記データ送受信装置により送信された所定の設定情報に基づき被測定者に関して生体データが測定されることを特徴とするデータ測定器。
【請求項１１】
請求項１０記載のデータ測定器において、前記判断により被測定者の識別子と関連付けて管理された所定の設定情報が有ると判断されなかった場合、
前記生体データ測定器によって、前記データ送受信装置から送信された所定の通知に基づき所定の設定情報が入力され、該入力された所定の設定情報が前記データ送受信装置へ送信され、
前記データ送受信装置によって、前記測定情報送信手段により送信された測定情報に含まれる前記データ測定器の識別子に対応する被測定者の識別子と前記生体データ測定器により送信された所定の設定情報とが関連付けて管理され、
前記生体データ測定器によって、入力された所定の設定情報に基づき被測定者に関して生体データが測定されることを特徴とするデータ測定器。
【請求項１２】
請求項１０記載のデータ測定器において、前記判断により被測定者の識別子と関連付けて管理された所定の設定情報が有ると判断されなかった場合、
所定の設定情報を入力させる設定情報入力手段と、
前記設定情報入力手段により入力させた所定の設定情報を前記データ送受信装置へ送信する設定情報送信手段とをさらに備え、
前記データ送受信装置によって、前記測定情報送信手段により送信された測定情報に含まれる前記データ測定器の識別子に対応する被測定者の識別子と前記設定情報送信手段により送信された所定の設定情報とが関連付けて管理され、該管理された所定の設定情報が前記生体データ測定器へ送信され、
前記生体データ測定器によって、前記データ送受信装置により送信された所定の設定情報に基づき被測定者に関して生体データが測定されることを特徴とするデータ測定器。
【請求項１３】
請求項１０記載のデータ測定器において、前記判断により被測定者の識別子と関連付けて管理された所定の設定情報が有ると判断されなかった場合、
所定の設定情報を入力させる設定情報入力手段と、
前記設定情報入力手段により入力させた所定の設定情報を前記データ送受信装置及び前記生体データ測定器へ送信する設定情報送信手段とをさらに備え、
前記データ送受信装置によって、前記測定情報送信手段により送信された測定情報に含まれる前記データ測定器の識別子に対応する被測定者の識別子と前記設定情報送信手段により送信された所定の設定情報とが関連付けて管理され、
前記生体データ測定器によって、前記設定情報送信手段により送信された所定の設定情報に基づき被測定者に関して生体データが測定されることを特徴とするデータ測定器。
【請求項１４】
請求項９乃至１３のいずれかに記載のデータ測定器において、前記データ送受信装置によって、前記測定情報送信手段により前記データ送受信装置へ測定情報が送信された後、被測定者に対する所定の出力が行われることを特徴とするデータ測定器。
【請求項１５】
請求項９乃至１４のいずれかに記載のデータ測定器において、
前記データ送受信装置によって、管理された被測定者の識別子と該被測定者の識別子に関連付けられた生体データとは、ネットワークを介して該データ送受信装置と接続されたサーバへ送信され、
前記サーバ側に、１つ以上のデータ送受信装置により送信された一人以上の被測定者の識別子と該被測定者の識別子に関連付けられた１種類以上の生体データとに基づき作成された生体データ記録部を備えたことを特徴とするデータ測定器。
【請求項１６】
請求項１５記載のデータ測定器において、前記サーバとネットワークを介して接続され、該サーバの生体データ記録部の有するデータを提供された他のサーバをさらに備えたことを特徴とするデータ測定器。
【請求項１７】
データ測定器と有線又は無線で接続されたデータ送受信装置に有線又は無線で接続された生体データ測定器であって、
被測定者に関して生体データを測定する生体データ測定手段と、
前記生体データ測定手段により測定した生体データを前記データ送受信装置へ送信する生体データ送信手段とを備え、
前記データ送受信装置によって、前記データ測定器により該データ測定器の識別子と被測定者に関して測定された測定データとを含む測定情報が該データ送受信装置へ送信され、送信された該測定情報に含まれる該データ測定器の識別子に対応した被測定者の識別子と前記生体データ送信手段により送信された生体データとが関連付けて管理されることを特徴とする生体データ測定器。
【請求項１８】
請求項１７記載の生体データ測定器において、該生体データ測定器が生体データの測定に際し被測定者に関する所定の設定情報を要する場合、
前記データ送受信装置によって、前記管理に先立ち、前記データ測定器により送信された被測定者の識別子と関連付けて管理された所定の設定情報の有無が判断され、
前記判断により被測定者の識別子と関連付けて管理された所定の設定情報が有ると判断された場合、被測定者の識別子と関連付けて管理された所定の設定情報が前記生体データ測定器へ送信され、
前記生体データ測定手段は、前記データ送受信装置により送信された所定の設定情報に基づき被測定者に関して生体データを測定することを特徴とする生体データ測定器。
【請求項１９】
請求項１８記載の生体データ測定器において、前記判断により被測定者の識別子と関連付けて管理された所定の設定情報が有ると判断されなかった場合、
前記データ送受信装置から送信された所定の通知に基づき所定の設定情報を入力させる設定情報入力手段と、
前記設定情報入力手段により入力させた所定の設定情報を前記データ送受信装置へ送信する設定情報送信手段とをさらに備え、
前記データ送受信装置によって、前記データ測定器により送信された測定情報に含まれる該データ測定器の識別子に対応する被測定者の識別子と前記設定情報送信手段により送信された所定の設定情報とが関連付けて管理され、
前記生体データ測定手段は、前記設定情報入力手段により入力された所定の設定情報に基づき被測定者に関して生体データを測定することを特徴とする生体データ測定器。
【請求項２０】
請求項１８記載の生体データ測定器において、前記判断により被測定者の識別子と関連付けて管理された所定の設定情報が有ると判断されなかった場合、
前記データ測定器によって、所定の設定情報が入力され、該入力された所定の設定情報が前記データ送受信装置へ送信され、
前記データ送受信装置によって、前記データ測定器により送信された測定情報に含まれる該データ測定器の識別子に対応する被測定者の識別子と前記データ測定器により送信された所定の設定情報とが関連付けて管理され、該管理された所定の設定情報が前記生体データ測定器へ送信され、
前記生体データ測定手段は、前記データ送受信装置により送信された所定の設定情報に基づき被測定者に関して生体データを測定することを特徴とする生体データ測定器。
【請求項２１】
請求項１８記載の生体データ測定器において、前記判断により被測定者の識別子と関連付けて管理された所定の設定情報が有ると判断されなかった場合、
前記データ測定器によって、所定の設定情報が入力され、該入力された所定の設定情報が前記データ送受信装置及び前記生体データ測定器へ送信され、
前記データ送受信装置によって、前記データ測定器により送信された測定情報に含まれる該データ測定器の識別子に対応する被測定者の識別子と前記データ測定器により送信された所定の設定情報とが関連付けて管理され、
前記生体データ測定手段は、前記データ測定器により送信された所定の設定情報に基づき被測定者に関して生体データを測定することを特徴とする生体データ測定器。
【請求項２２】
請求項１７乃至２１のいずれかに記載の生体データ測定器において、前記データ送受信装置によって、前記データ測定器により該データ送受信装置へ測定情報が送信された後、被測定者に対する所定の出力が行われることを特徴とする生体データ測定器。
【請求項２３】
請求項１７乃至２２のいずれかに記載の生体データ測定器において、
前記データ送受信装置によって、管理された被測定者の識別子と該被測定者の識別子に関連付けられた生体データとは、ネットワークを介して該データ送受信装置と接続されたサーバへ送信され、
前記サーバ側に、１つ以上のデータ送受信装置により送信された一人以上の被測定者の識別子と該被測定者の識別子に関連付けられた１種類以上の生体データとに基づき作成された生体データ記録部を備えたことを特徴とする生体データ測定器。
【請求項２４】
請求項２３記載の生体データ測定器において、前記サーバとネットワークを介して接続され、該サーバの生体データ記録部の有するデータを提供された他のサーバをさらに備えたことを特徴とする生体データ測定器。
【請求項２５】
データ測定器及び生体データ測定器と有線又は無線で接続されたデータ送受信装置であって、
前記データ測定器によって、該データ測定器の識別子と被測定者に関して測定した測定データとを含む測定情報が前記データ送受信装置へ送信され、
前記生体データ測定器によって、被測定者に関して生体データが測定され、該測定された生体データが前記データ送受信装置へ送信され、
前記データ送受信装置は、前記データ測定器により送信された測定情報に含まれる該データ測定器の識別子に対応した被測定者の識別子と前記生体データ測定器により送信された生体データとを関連付けて管理する生体データ管理手段を備えたことを特徴とするデータ送受信装置。
【請求項２６】
請求項２５記載のデータ送受信装置において、前記生体データ測定器が生体データの測定に際し被測定者に関する所定の設定情報を要する場合、
前記データ送受信装置は、前記生体データ管理手段による管理に先立ち、
前記測定情報送信手段により送信された前記データ測定器の識別子に対応する被測定者の識別子と関連付けて管理された所定の設定情報の有無を判断する判断手段と、
前記判断手段により被測定者の識別子と関連付けて管理された所定の設定情報が有ると判断された場合、被測定者の識別子と関連付けて管理された所定の設定情報を前記生体データ測定器へ送信するデータ送受信装置側設定情報送信手段とをさらに備え、
前記生体データ測定器によって、前記データ送受信装置側設定情報送信手段により送信された所定の設定情報に基づき被測定者に関して生体データが測定されることを特徴とするデータ送受信装置。
【請求項２７】
請求項２６記載のデータ送受信装置において、前記判断手段により被測定者の識別子と関連付けて管理された所定の設定情報が有ると判断されなかった場合、
前記生体データ測定器によって、前記データ送受信装置から送信された所定の通知に基づき所定の設定情報が入力され、該入力された所定の設定情報が前記データ送受信装置へ送信され、
前記データ送受信装置は、
所定の通知を前記生体データ測定器へ送信する通知手段と、
前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、
前記生体データ測定器によって、入力された所定の設定情報に基づき被測定者に関して生体データが測定されることを特徴とするデータ送受信装置。
【請求項２８】
請求項２６記載のデータ送受信装置において、前記判断手段により被測定者の識別子と関連付けて管理された所定の設定情報が有ると判断されなかった場合、
前記データ測定器によって、所定の設定情報が入力され、該入力された所定の設定情報が前記データ送受信装置へ送信され、
前記データ送受信装置は、
前記データ測定器により送信された測定情報に含まれる該データ測定器の識別子に対応する被測定者の識別子と前記データ測定器により送信された所定の設定情報とを関連付けて管理する設定情報管理手段と、
前記設定情報管理手段により被測定者の識別子と関連付けて管理された所定の設定情報を前記生体データ測定器へ送信する初回データ送受信装置側設定情報送信手段とをさらに備え、
前記生体データ測定器によって、前記初回データ送受信装置側設定情報送信手段により送信された所定の設定情報に基づき被測定者に関して生体データが測定されることを特徴とするデータ送受信装置。
【請求項２９】
請求項２６記載のデータ送受信装置において、前記判断手段により被測定者の識別子と関連付けて管理された所定の設定情報が有ると判断されなかった場合、
前記データ測定器によって、所定の設定情報が入力され、該入力された所定の設定情報が前記データ送受信装置及び前記生体データ測定器へ送信され、
前記データ送受信装置は、
前記データ測定器により送信された測定情報に含まれる該データ測定器の識別子に対応する被測定者の識別子と前記データ測定器により送信された所定の設定情報とを関連付けて管理する設定情報管理手段とをさらに備え、
前記生体データ測定器によって、前記データ測定器により送信された所定の設定情報に基づき被測定者に関して生体データが測定されることを特徴とするデータ送受信装置。
【請求項３０】
請求項２５乃至２９のいずれかに記載のデータ送受信装置において、前記データ測定器により前記データ送受信装置へ測定情報が送信された後、被測定者に対する所定の出力を行う出力手段をさらに備えたことを特徴とするデータ送受信装置。
【請求項３１】
請求項２５乃至３０のいずれかに記載のデータ送受信装置において、
前記生体データ管理手段により管理された被測定者の識別子と該被測定者の識別子に関連付けられた生体データとを、ネットワークを介して該データ送受信装置と接続されたサーバへ送信するデータ送受信装置側生体データ送信手段をさらに備え、
前記サーバは、１つ以上のデータ送受信装置におけるデータ送受信装置側生体データ送信手段で送信された一人以上の被測定者の識別子と該被測定者の識別子に関連付けられた１種類以上の生体データとに基づき作成された生体データ記録部を備えたことを特徴とするデータ送受信装置。
【請求項３２】
請求項３１記載のデータ送受信装置において、前記サーバとネットワークを介して接続され、該サーバの生体データ記録部の有するデータを提供された他のサーバをさらに備えたことを特徴とするデータ送受信装置。
【請求項３３】
データ測定器と、生体データ測定器と、該データ測定器及び該生体データ測定器と有線又は無線で接続されたデータ送受信装置とを用いた生体データ管理方法であって、
前記データ測定器が、該データ測定器の識別子と被測定者に関して測定した測定データとを含む測定情報を前記データ送受信装置へ送信する測定情報送信ステップと、
前記生体データ測定器が、
被測定者に関して生体データを測定する生体データ測定ステップと、
前記生体データ測定ステップで測定した生体データを前記データ送受信装置へ送信する生体データ送信ステップと、
前記データ送受信装置が、前記測定情報送信ステップで送信された測定情報に含まれる前記データ測定器の識別子に対応した被測定者の識別子と前記生体データ送信ステップで送信された生体データとを関連付けて管理する生体データ管理ステップとを備えたことを特徴とする生体データ管理方法。
【請求項３４】
請求項３３記載の生体データ管理方法において、前記生体データ測定器が生体データの測定に際し被測定者に関する所定の設定情報を要する場合、
前記測定情報送信ステップと前記生体データ測定ステップとの間に、
前記データ送受信装置が、
前記測定情報送信ステップで送信された前記データ測定器の識別子に対応する被測定者の識別子と関連付けて管理された所定の設定情報の有無を判断する判断ステップと、
前記判断ステップで被測定者の識別子と関連付けて管理された所定の設定情報が有ると判断された場合、被測定者の識別子と関連付けて管理された所定の設定情報を前記生体データ測定器へ送信するデータ送受信装置側設定情報送信ステップとをさらに備え、
前記生体データ測定ステップは、前記データ送受信装置側設定情報送信ステップで送信された所定の設定情報に基づき被測定者に関して生体データを測定することを特徴とする生体データ管理方法。
【請求項３５】
請求項３４記載の生体データ管理方法において、前記判断ステップで被測定者の識別子と関連付けて管理された所定の設定情報が有ると判断されなかった場合、
前記データ送受信装置が、
所定の通知を前記生体データ測定器へ送信する通知ステップと、
前記生体データ測定器が、
前記通知ステップで送信された所定の通知に基づき所定の設定情報を入力させる設定情報入力ステップと、
前記設定情報入力ステップで入力させた所定の設定情報を前記データ送受信装置へ送信する設定情報送信ステップと、
前記データ送受信装置が、
前記測定情報送信ステップで送信された測定情報に含まれる前記データ測定器の識別子に対応する被測定者の識別子と前記設定情報送信ステップで送信された所定の設定情報とを関連付けて管理する設定情報管理ステップとをさらに備え、
前記生体データ測定ステップは、前記設定情報入力ステップで入力された所定の設定情報に基づき被測定者に関して生体データを測定することを特徴とする生体データ管理方法。
【請求項３６】
請求項３４記載の生体データ管理方法において、前記判断ステップで被測定者の識別子と関連付けて管理された所定の設定情報が有ると判断されなかった場合、
前記データ送受信装置が、
所定の通知を前記データ測定器へ送信する通知ステップと、
前記データ測定器が、
前記通知ステップで送信された所定の通知に基づき所定の設定情報を入力させる設定情報入力ステップと、
前記設定情報入力ステップで入力させた所定の設定情報を前記データ送受信装置へ送信する設定情報送信ステップと、
前記データ送受信装置が、
前記測定情報送信ステップで送信された測定情報に含まれる前記データ測定器の識別子に対応する被測定者の識別子と前記設定情報送信ステップで送信された所定の設定情報とを関連付けて管理する設定情報管理ステップと、
前記設定情報管理ステップで被測定者の識別子と関連付けて管理された所定の設定情報を前記生体データ測定器へ送信する初回データ送受信装置側設定情報送信ステップとをさらに備え、
前記生体データ測定ステップは、前記初回データ送受信装置側設定情報送信ステップで送信された所定の設定情報に基づき被測定者に関して生体データを測定することを特徴とする生体データ管理方法。
【請求項３７】
請求項３４記載の生体データ管理方法において、前記判断ステップで被測定者の識別子と関連付けて管理された所定の設定情報が有ると判断されなかった場合、
前記データ送受信装置が、
所定の通知を前記データ測定器へ送信する通知ステップと、
前記データ測定器が、
前記通知ステップにより送信された所定の通知に基づき所定の設定情報を入力させる設定情報入力ステップと、
前記設定情報入力ステップで入力させた所定の設定情報を前記データ送受信装置及び前記生体データ測定器へ送信する設定情報送信ステップと、
前記データ送受信装置が、
前記測定情報送信ステップで送信された測定情報に含まれる前記データ測定器の識別子に対応する被測定者の識別子と前記設定情報送信ステップで送信された所定の設定情報とを関連付けて管理する設定情報管理ステップとをさらに備え、
前記生体データ測定ステップは、前記設定情報送信ステップで送信された所定の設定情報に基づき被測定者に関して生体データを測定することを特徴とする生体データ管理方法。
【請求項３８】
請求項３３乃至３７のいずれかに記載の生体データ管理方法において、前記データ送受信装置は、前記測定情報送信ステップで測定情報が送信された後、被測定者に対する所定の出力を行う出力ステップをさらに備えたことを特徴とする生体データ管理方法。
【請求項３９】
請求項３３乃至３８のいずれかに記載の生体データ管理方法において、
前記データ送受信装置は、前記生体データ管理ステップで管理された被測定者の識別子と該被測定者の識別子に関連付けられた生体データとを、ネットワークを介して該データ送受信装置と接続されたサーバへ送信するデータ送受信装置側生体データ送信ステップをさらに備え、
前記サーバは、１つ以上のデータ送受信装置におけるデータ送受信装置側生体データ送信ステップで送信された一人以上の被測定者の識別子と該被測定者の識別子に関連付けられた１種類以上の生体データとに基づき作成された生体データ記録部を備えたことを特徴とする生体データ管理方法。
【請求項４０】
請求項３９記載の生体データ管理方法において、前記サーバとネットワークを介して接続され、該サーバの生体データ記録部の有するデータを提供された他のサーバをさらに備えたことを特徴とする生体データ管理方法。
【発明の詳細な説明】
【技術分野】
【０００１】
本発明は、データ測定器と、生体データ測定器と、データ測定器および生体データ測定器と有線または無線で接続されたデータ送受信装置とを備えた生体データ管理システム等に関する。
【背景技術】
【０００２】
近年、メタボリック症候群が社会問題化しており、このため生活者の健康に対する関心は日毎に高まり、自ら簡単に健康管理できるような環境が求められるようになっている。そこで、従来、家庭内において血圧計、体組成計等により測定された被測定者の各測定データを健康管理サービス事業者等のサーバに収集し、健康管理に役立てる健康管理システムの開発が進められている（特許文献１参照）。特に、特願２００６−５６９９８には、家庭内に家庭用の血圧計、体組成計等のデータ測定器と無線で接続されたレシーバを設置し、このレシーバを介して簡易に家族の各測定データを健康管理サービス事業者等のサーバに収集可能な健康管理システムが示されている。データ測定器には複数の個人番号ボタンが設けられており、家族の構成員と測定データとが関連付けられてレシーバへ送信された後、サーバへ送信される。データ測定器が体組成計の場合、被測定者の身長、年齢、性別等の生体情報は直接または他の手段により入力しておくことができる。
【０００３】
一方、会社または事業所においては、従来、業務用の血圧計、体脂肪計等と接続されたパーソナル・コンピュータ（ＰＣ）を設置し、このＰＣで社員とその測定データとを関連付けした上でサーバへ送信していた。
【０００４】
【非特許文献１】“メタボリック健診データを共同管理・健保連がシステム開発”、［online］、日経新聞社NIKKEI NET、［平成１９年２月２８日検索］、インターネット、  <URL: http://health.nikkei.co.jp/news/top/index.cfm?i=2007021608662h1>
【発明の開示】
【発明が解決しようとする課題】
【０００５】
上述した特願２００６−５６９９８に示されるレシーバは簡易に使用することができるため、会社または事業所においてもＰＣに替えて用いたいという要望が強かった。しかし、レシーバは家庭用に開発されたものであり、個人番号ボタンの数には制限があった。このため、不特定多数の人数を被測定者とする会社または事業所でレシーバをそのまま用いた場合、人数の制限上、被測定者とその測定データとを関連付けすることができないという問題があった。
【０００６】
そこで、本発明の目的は、上記問題を解決するためになされたものであり、不特定多数の人数を被測定者とする会社または事業所において、ＰＣに替えてレシーバを用いた場合であっても、被測定者とその測定データとを関連付けすることができる生体データ管理システム等を提供することにある。
【課題を解決するための手段】
【０００７】
この発明の生体データ管理システムは、データ測定器と、生体データ測定器と、該データ測定器及び該生体データ測定器と有線又は無線で接続されたデータ送受信装置とを備えた生体データ管理システムであって、前記データ測定器は、該データ測定器の識別子と被測定者に関して測定した測定データとを含む測定情報を前記データ送受信装置へ送信する測定情報送信手段を備え、前記生体データ測定器は、被測定者に関して生体データを測定する生体データ測定手段と、前記生体データ測定手段により測定した生体データを前記データ送受信装置へ送信する生体データ送信手段とを備え、前記データ送受信装置は、前記測定情報送信手段により送信された測定情報に含まれる前記データ測定器の識別子に対応した被測定者の識別子と前記生体データ送信手段により送信された生体データとを関連付けて管理する生体データ管理手段を備えたことを特徴とする。
【０００８】
ここで、この発明の生体データ管理システムにおいて、前記生体データ測定器が生体データの測定に際し被測定者に関する所定の設定情報を要する場合、前記データ送受信装置は、前記生体データ管理手段による管理に先立ち、前記測定情報送信手段により送信された前記データ測定器の識別子に対応する被測定者の識別子と関連付けて管理された所定の設定情報の有無を判断する判断手段と、前記判断手段により被測定者の識別子と関連付けて管理された所定の設定情報が有ると判断された場合、被測定者の識別子と関連付けて管理された所定の設定情報を前記生体データ測定器へ送信するデータ送受信装置側設定情報送信手段とをさらに備え、前記生体データ測定手段は、前記データ送受信装置側設定情報送信手段により送信された所定の設定情報に基づき被測定者に関して生体データを測定することができる。
【０００９】
ここで、この発明の生体データ管理システムにおいて、前記判断手段により被測定者の識別子と関連付けて管理された所定の設定情報が有ると判断されなかった場合、前記生体データ測定器は、前記データ送受信装置から送信された所定の通知に基づき所定の設定情報を入力させる設定情報入力手段と、前記設定情報入力手段により入力させた所定の設定情報を前記データ送受信装置へ送信する設定情報送信手段とをさらに備え、前記データ送受信装置は、所定の通知を前記生体データ測定器へ送信する通知手段と、前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、前記生体データ測定手段は、前記設定情報入力手段により入力された所定の設定情報に基づき被測定者に関して生体データを測定することができる。
【００１０】
ここで、この発明の生体データ管理システムにおいて、前記判断手段により被測定者の識別子と関連付けて管理された所定の設定情報が有ると判断されなかった場合、前記データ測定器は、前記データ送受信装置から送信された所定の通知に基づき所定の設定情報を入力させる設定情報入力手段と、前記設定情報入力手段により入力させた所定の設定情報を前記データ送受信装置へ送信する設定情報送信手段とをさらに備え、前記データ送受信装置は、所定の通知を前記データ測定器へ送信する通知手段と、前記測定情報送信手段により送信された前記データ測定器の識別子に対応する測定情報に含まれる被測定者の識別子と前記設定情報送信手段により送信された所定の設定情報とを関連付けて管理する設定情報管理手段と、前記設定情報管理手段により被測定者の識別子と関連付けて管理された所定の設定情報を前記生体データ測定器へ送信する初回データ送受信装置側設定情報送信手段とをさらに備え、前記生体データ測定手段は、前記初回データ送受信装置側設定情報送信手段により送信された所定の設定情報に基づき被測定者に関して生体データを測定することができる。
【００１１】
ここで、この発明の生体データ管理システムにおいて、前記判断手段により被測定者の識別子と関連付けて管理された所定の設定情報が有ると判断されなかった場合、前記データ測定器は、前記データ送受信装置から送信された所定の通知に基づき所定の設定情報を入力させる設定情報入力手段と、前記設定情報入力手段により入力させた所定の設定情報を前記データ送受信装置及び前記生体データ測定器へ送信する設定情報送信手段とをさらに備え、前記データ送受信装置は、所定の通知を前記データ測定器へ送信する通知手段と、前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、前記生体データ測定手段は、前記設定情報送信手段により送信された所定の設定情報に基づき被測定者に関して生体データを測定することができる。
【００１２】
ここで、この発明の生体データ管理システムにおいて、前記データ送受信装置は、前記測定情報送信手段により前記データ送受信装置へ測定情報が送信された後、被測定者に対する所定の出力を行う出力手段をさらに備えることができる。
【００１３】
ここで、この発明の生体データ管理システムにおいて、前記データ送受信装置は、前記生体データ管理手段により管理された被測定者の識別子と該被測定者の識別子に関連付けられた生体データとを、ネットワークを介して該データ送受信装置と接続されたサーバへ送信するデータ送受信装置側生体データ送信手段をさらに備え、前記サーバは、１つ以上のデータ送受信装置におけるデータ送受信装置側生体データ送信手段で送信された一人以上の被測定者の識別子と該被測定者の識別子に関連付けられた１種類以上の生体データとに基づき作成された生体データ記録部を備えることができる。
【００１４】
ここで、この発明の生体データ管理システムにおいて、前記サーバとネットワークを介して接続され、該サーバの生体データ記録部の有するデータを提供された他のサーバをさらに備えることができる。
【００１５】
この発明のデータ測定器は、生体データ測定器と有線又は無線で接続されたデータ送受信装置に有線又は無線で接続されたデータ測定器であって、データ測定器の識別子と被測定者に関して測定した測定データとを含む測定情報を前記データ送受信装置へ送信する測定情報送信手段を備え、前記データ送受信装置によって、前記測定情報送信手段により送信された測定情報に含まれる前記データ測定器の識別子に対応した被測定者の識別子と、前記生体データ測定器により被測定者に関して測定され前記データ送受信装置へ送信された生体データとが関連付けて管理されることを特徴とする。
【００１６】
ここで、この発明のデータ測定器において、前記生体データ測定器が生体データの測定に際し被測定者に関する所定の設定情報を要する場合、前記データ送受信装置によって、前記管理に先立ち、前記測定情報送信手段により送信された前記データ測定器の識別子に対応する被測定者の識別子と関連付けて管理された所定の設定情報の有無が判断され、前記判断により被測定者の識別子と関連付けて管理された所定の設定情報が有ると判断された場合、被測定者の識別子と関連付けて管理された所定の設定情報が前記生体データ測定器へ送信され、前記生体データ測定器によって、前記データ送受信装置により送信された所定の設定情報に基づき被測定者に関して生体データが測定されることができる。
【００１７】
ここで、この発明のデータ測定器において、前記判断により被測定者の識別子と関連付けて管理された所定の設定情報が有ると判断されなかった場合、前記生体データ測定器によって、前記データ送受信装置から送信された所定の通知に基づき所定の設定情報が入力され、該入力された所定の設定情報が前記データ送受信装置へ送信され、前記データ送受信装置によって、前記測定情報送信手段により送信された測定情報に含まれる前記データ測定器の識別子に対応する被測定者の識別子と前記生体データ測定器により送信された所定の設定情報とが関連付けて管理され、前記生体データ測定器によって、入力された所定の設定情報に基づき被測定者に関して生体データが測定されることができる。
【００１８】
ここで、この発明のデータ測定器において、前記判断により被測定者の識別子と関連付けて管理された所定の設定情報が有ると判断されなかった場合、所定の設定情報を入力させる設定情報入力手段と、前記設定情報入力手段により入力させた所定の設定情報を前記データ送受信装置へ送信する設定情報送信手段とをさらに備え、前記データ送受信装置によって、前記測定情報送信手段により送信された測定情報に含まれる前記データ測定器の識別子に対応する被測定者の識別子と前記設定情報送信手段により送信された所定の設定情報とが関連付けて管理され、該管理された所定の設定情報が前記生体データ測定器へ送信され、前記生体データ測定器によって、前記データ送受信装置により送信された所定の設定情報に基づき被測定者に関して生体データが測定されることができる。
【００１９】
ここで、この発明のデータ測定器において、前記判断により被測定者の識別子と関連付けて管理された所定の設定情報が有ると判断されなかった場合、所定の設定情報を入力させる設定情報入力手段と、前記設定情報入力手段により入力させた所定の設定情報を前記データ送受信装置及び前記生体データ測定器へ送信する設定情報送信手段とをさらに備え、前記データ送受信装置によって、前記測定情報送信手段により送信された測定情報に含まれる前記データ測定器の識別子に対応する被測定者の識別子と前記設定情報送信手段により送信された所定の設定情報とが関連付けて管理され、前記生体データ測定器によって、前記設定情報送信手段により送信された所定の設定情報に基づき被測定者に関して生体データが測定されることができる。
【００２０】
ここで、この発明のデータ測定器において、前記データ送受信装置によって、前記測定情報送信手段により前記データ送受信装置へ測定情報が送信された後、被測定者に対する所定の出力が行われることができる。
【００２１】
ここで、この発明のデータ測定器において、前記データ送受信装置によって、管理された被測定者の識別子と該被測定者の識別子に関連付けられた生体データとは、ネットワークを介して該データ送受信装置と接続されたサーバへ送信され、前記サーバ側に、１つ以上のデータ送受信装置により送信された一人以上の被測定者の識別子と該被測定者の識別子に関連付けられた１種類以上の生体データとに基づき作成された生体データ記録部を備えることができる。
【００２２】
ここで、この発明のデータ測定器において、前記サーバとネットワークを介して接続され、該サーバの生体データ記録部の有するデータを提供された他のサーバをさらに備えることができる。
【００２３】
この発明の生体データ測定器は、データ測定器と有線又は無線で接続されたデータ送受信装置に有線又は無線で接続された生体データ測定器であって、被測定者に関して生体データを測定する生体データ測定手段と、前記生体データ測定手段により測定した生体データを前記データ送受信装置へ送信する生体データ送信手段とを備え、前記データ送受信装置によって、前記データ測定器により該データ測定器の識別子と被測定者に関して測定された測定データとを含む測定情報が該データ送受信装置へ送信され、送信された該測定情報に含まれる該データ測定器の識別子に対応した被測定者の識別子と前記生体データ送信手段により送信された生体データとが関連付けて管理されることを特徴とする。
【００２４】
ここで、この発明の生体データ測定器において、該生体データ測定器が生体データの測定に際し被測定者に関する所定の設定情報を要する場合、前記データ送受信装置によって、前記管理に先立ち、前記データ測定器により送信された被測定者の識別子と関連付けて管理された所定の設定情報の有無が判断され、前記判断により被測定者の識別子と関連付けて管理された所定の設定情報が有ると判断された場合、被測定者の識別子と関連付けて管理された所定の設定情報が前記生体データ測定器へ送信され、前記生体データ測定手段は、前記データ送受信装置により送信された所定の設定情報に基づき被測定者に関して生体データを測定することができる。
【００２５】
ここで、この発明の生体データ測定器において、前記判断により被測定者の識別子と関連付けて管理された所定の設定情報が有ると判断されなかった場合、前記データ送受信装置から送信された所定の通知に基づき所定の設定情報を入力させる設定情報入力手段と、前記設定情報入力手段により入力させた所定の設定情報を前記データ送受信装置へ送信する設定情報送信手段とをさらに備え、前記データ送受信装置によって、前記データ測定器により送信された測定情報に含まれる該データ測定器の識別子に対応する被測定者の識別子と前記設定情報送信手段により送信された所定の設定情報とが関連付けて管理され、前記生体データ測定手段は、前記設定情報入力手段により入力された所定の設定情報に基づき被測定者に関して生体データを測定することができる。
【００２６】
ここで、この発明の生体データ測定器において、前記判断により被測定者の識別子と関連付けて管理された所定の設定情報が有ると判断されなかった場合、前記データ測定器によって、所定の設定情報が入力され、該入力された所定の設定情報が前記データ送受信装置へ送信され、前記データ送受信装置によって、前記データ測定器により送信された測定情報に含まれる該データ測定器の識別子に対応する被測定者の識別子と前記データ測定器により送信された所定の設定情報とが関連付けて管理され、該管理された所定の設定情報が前記生体データ測定器へ送信され、前記生体データ測定手段は、前記データ送受信装置により送信された所定の設定情報に基づき被測定者に関して生体データを測定することができる。
【００２７】
ここで、この発明の生体データ測定器において、前記判断により被測定者の識別子と関連付けて管理された所定の設定情報が有ると判断されなかった場合、前記データ測定器によって、所定の設定情報が入力され、該入力された所定の設定情報が前記データ送受信装置及び前記生体データ測定器へ送信され、前記データ送受信装置によって、前記データ測定器により送信された測定情報に含まれる該データ測定器の識別子に対応する被測定者の識別子と前記データ測定器により送信された所定の設定情報とが関連付けて管理され、前記生体データ測定手段は、前記データ測定器により送信された所定の設定情報に基づき被測定者に関して生体データを測定することができる。
【００２８】
ここで、この発明の生体データ測定器において、前記データ送受信装置によって、前記データ測定器により該データ送受信装置へ測定情報が送信された後、被測定者に対する所定の出力が行われることができる。
【００２９】
ここで、この発明の生体データ測定器において、前記データ送受信装置によって、管理された被測定者の識別子と該被測定者の識別子に関連付けられた生体データとは、ネットワークを介して該データ送受信装置と接続されたサーバへ送信され、前記サーバ側に、１つ以上のデータ送受信装置により送信された一人以上の被測定者の識別子と該被測定者の識別子に関連付けられた１種類以上の生体データとに基づき作成された生体データ記録部を備えることができる。
【００３０】
ここで、この発明の生体データ測定器において、前記サーバとネットワークを介して接続され、該サーバの生体データ記録部の有するデータを提供された他のサーバをさらに備えることができる。
【００３１】
この発明のデータ送受信装置は、データ測定器及び生体データ測定器と有線又は無線で接続されたデータ送受信装置であって、前記データ測定器によって、該データ測定器の識別子と被測定者に関して測定した測定データとを含む測定情報が前記データ送受信装置へ送信され、前記生体データ測定器によって、被測定者に関して生体データが測定され、該測定された生体データが前記データ送受信装置へ送信され、前記データ送受信装置は、前記データ測定器により送信された測定情報に含まれる該データ測定器の識別子に対応した被測定者の識別子と前記生体データ測定器により送信された生体データとを関連付けて管理する生体データ管理手段を備えたことを特徴とする。
【００３２】
ここで、この発明のデータ送受信装置において、前記生体データ測定器が生体データの測定に際し被測定者に関する所定の設定情報を要する場合、前記データ送受信装置は、前記生体データ管理手段による管理に先立ち、前記測定情報送信手段により送信された前記データ測定器の識別子に対応する被測定者の識別子と関連付けて管理された所定の設定情報の有無を判断する判断手段と、前記判断手段により被測定者の識別子と関連付けて管理された所定の設定情報が有ると判断された場合、被測定者の識別子と関連付けて管理された所定の設定情報を前記生体データ測定器へ送信するデータ送受信装置側設定情報送信手段とをさらに備え、前記生体データ測定器によって、前記データ送受信装置側設定情報送信手段により送信された所定の設定情報に基づき被測定者に関して生体データが測定されることができる。
【００３３】
ここで、この発明のデータ送受信装置において、前記判断手段により被測定者の識別子と関連付けて管理された所定の設定情報が有ると判断されなかった場合、前記生体データ測定器によって、前記データ送受信装置から送信された所定の通知に基づき所定の設定情報が入力され、該入力された所定の設定情報が前記データ送受信装置へ送信され、前記データ送受信装置は、所定の通知を前記生体データ測定器へ送信する通知手段と、前記測定情報送信手段により送信された測定情報に含まれる前記データ測定器の識別子に対応する被測定者の識別子と前記設定情報送信手段により送信された所定の設定情報とを関連付けて管理する設定情報管理手段とをさらに備え、前記生体データ測定器によって、入力された所定の設定情報に基づき被測定者に関して生体データが測定されることができる。
【００３４】
ここで、この発明のデータ送受信装置において、前記判断手段により被測定者の識別子と関連付けて管理された所定の設定情報が有ると判断されなかった場合、前記データ測定器によって、所定の設定情報が入力され、該入力された所定の設定情報が前記データ送受信装置へ送信され、前記データ送受信装置は、前記データ測定器により送信された測定情報に含まれる該データ測定器の識別子に対応する被測定者の識別子と前記データ測定器により送信された所定の設定情報とを関連付けて管理する設定情報管理手段と、前記設定情報管理手段により被測定者の識別子と関連付けて管理された所定の設定情報を前記生体データ測定器へ送信する初回データ送受信装置側設定情報送信手段とをさらに備え、前記生体データ測定器によって、前記初回データ送受信装置側設定情報送信手段により送信された所定の設定情報に基づき被測定者に関して生体データが測定されることができる。
【００３５】
ここで、この発明のデータ送受信装置において、前記判断手段により被測定者の識別子と関連付けて管理された所定の設定情報が有ると判断されなかった場合、前記データ測定器によって、所定の設定情報が入力され、該入力された所定の設定情報が前記データ送受信装置及び前記生体データ測定器へ送信され、前記データ送受信装置は、前記データ測定器により送信された測定情報に含まれる該データ測定器の識別子に対応する被測定者の識別子と前記データ測定器により送信された所定の設定情報とを関連付けて管理する設定情報管理手段とをさらに備え、前記生体データ測定器によって、前記データ測定器により送信された所定の設定情報に基づき被測定者に関して生体データが測定されることができる。
【００３６】
ここで、この発明のデータ送受信装置において、前記データ測定器により前記データ送受信装置へ測定情報が送信された後、被測定者に対する所定の出力を行う出力手段をさらに備えることができる。
【００３７】
ここで、この発明のデータ送受信装置において、前記生体データ管理手段により管理された被測定者の識別子と該被測定者の識別子に関連付けられた生体データとを、ネットワークを介して該データ送受信装置と接続されたサーバへ送信するデータ送受信装置側生体データ送信手段をさらに備え、前記サーバは、１つ以上のデータ送受信装置におけるデータ送受信装置側生体データ送信手段で送信された一人以上の被測定者の識別子と該被測定者の識別子に関連付けられた１種類以上の生体データとに基づき作成された生体データ記録部を備えることができる。
【００３８】
ここで、この発明のデータ送受信装置において、前記サーバとネットワークを介して接続され、該サーバの生体データ記録部の有するデータを提供された他のサーバをさらに備えることができる。
【００３９】
この発明の生体データ管理方法は、データ測定器と、生体データ測定器と、該データ測定器及び該生体データ測定器と有線又は無線で接続されたデータ送受信装置とを用いた生体データ管理方法であって、前記データ測定器が、該データ測定器の識別子と被測定者に関して測定した測定データとを含む測定情報を前記データ送受信装置へ送信する測定情報送信ステップと、前記生体データ測定器が、被測定者に関して生体データを測定する生体データ測定ステップと、前記生体データ測定ステップで測定した生体データを前記データ送受信装置へ送信する生体データ送信ステップと、前記データ送受信装置が、前記測定情報送信ステップで送信された測定情報に含まれる前記データ測定器の識別子に対応した被測定者の識別子と前記生体データ送信ステップで送信された生体データとを関連付けて管理する生体データ管理ステップとを備えたことを特徴とする。
【００４０】
ここで、この発明の生体データ管理方法において、前記生体データ測定器が生体データの測定に際し被測定者に関する所定の設定情報を要する場合、前記測定情報送信ステップと前記生体データ測定ステップとの間に、前記データ送受信装置が、前記測定情報送信ステップで送信された前記データ測定器の識別子に対応する被測定者の識別子と関連付けて管理された所定の設定情報の有無を判断する判断ステップと、前記判断ステップで被測定者の識別子と関連付けて管理された所定の設定情報が有ると判断された場合、被測定者の識別子と関連付けて管理された所定の設定情報を前記生体データ測定器へ送信するデータ送受信装置側設定情報送信ステップとをさらに備え、前記生体データ測定ステップは、前記データ送受信装置側設定情報送信ステップで送信された所定の設定情報に基づき被測定者に関して生体データを測定することができる。
【００４１】
ここで、この発明の生体データ管理方法において、前記判断ステップで被測定者の識別子と関連付けて管理された所定の設定情報が有ると判断されなかった場合、前記データ送受信装置が、所定の通知を前記生体データ測定器へ送信する通知ステップと、前記生体データ測定器が、前記通知ステップで送信された所定の通知に基づき所定の設定情報を入力させる設定情報入力ステップと、前記設定情報入力ステップで入力させた所定の設定情報を前記データ送受信装置へ送信する設定情報送信ステップと、前記データ送受信装置が、前記測定情報送信ステップで送信された測定情報に含まれる前記データ測定器の識別子に対応する被測定者の識別子と前記設定情報送信ステップで送信された所定の設定情報とを関連付けて管理する設定情報管理ステップとをさらに備え、前記生体データ測定ステップは、前記設定情報入力ステップで入力された所定の設定情報に基づき被測定者に関して生体データを測定することができる。
【００４２】
ここで、この発明の生体データ管理方法において、前記判断ステップで被測定者の識別子と関連付けて管理された所定の設定情報が有ると判断されなかった場合、前記データ送受信装置が、所定の通知を前記データ測定器へ送信する通知ステップと、前記データ測定器が、前記通知ステップで送信された所定の通知に基づき所定の設定情報を入力させる設定情報入力ステップと、前記設定情報入力ステップで入力させた所定の設定情報を前記データ送受信装置へ送信する設定情報送信ステップと、前記データ送受信装置が、前記測定情報送信ステップで送信された測定情報に含まれる前記データ測定器の識別子に対応する被測定者の識別子と前記設定情報送信ステップで送信された所定の設定情報とを関連付けて管理する設定情報管理ステップと、前記設定情報管理ステップで被測定者の識別子と関連付けて管理された所定の設定情報を前記生体データ測定器へ送信する初回データ送受信装置側設定情報送信ステップとをさらに備え、前記生体データ測定ステップは、前記初回データ送受信装置側設定情報送信ステップで送信された所定の設定情報に基づき被測定者に関して生体データを測定することができる。
【００４３】
ここで、この発明の生体データ管理方法において、前記判断ステップで被測定者の識別子と関連付けて管理された所定の設定情報が有ると判断されなかった場合、前記データ送受信装置が、所定の通知を前記データ測定器へ送信する通知ステップと、前記データ測定器が、前記通知ステップにより送信された所定の通知に基づき所定の設定情報を入力させる設定情報入力ステップと、前記設定情報入力ステップで入力させた所定の設定情報を前記データ送受信装置及び前記生体データ測定器へ送信する設定情報送信ステップと、前記データ送受信装置が、前記測定情報送信ステップで送信された測定情報に含まれる前記データ測定器の識別子に対応する被測定者の識別子と前記設定情報送信ステップで送信された所定の設定情報とを関連付けて管理する設定情報管理ステップとをさらに備え、前記生体データ測定ステップは、前記設定情報送信ステップで送信された所定の設定情報に基づき被測定者に関して生体データを測定することができる。
【００４４】
ここで、この発明の生体データ管理方法において、前記データ送受信装置は、前記測定情報送信ステップで測定情報が送信された後、被測定者に対する所定の出力を行う出力ステップをさらに備えることができる。
【００４５】
ここで、この発明の生体データ管理方法において、前記データ送受信装置は、前記生体データ管理ステップで管理された被測定者の識別子と該被測定者の識別子に関連付けられた生体データとを、ネットワークを介して該データ送受信装置と接続されたサーバへ送信するデータ送受信装置側生体データ送信ステップをさらに備え、前記サーバは、１つ以上のデータ送受信装置におけるデータ送受信装置側生体データ送信ステップで送信された一人以上の被測定者の識別子と該被測定者の識別子に関連付けられた１種類以上の生体データとに基づき作成された生体データ記録部を備えることができる。
【００４６】
ここで、この発明の生体データ管理方法において、前記サーバとネットワークを介して接続され、該サーバの生体データ記録部の有するデータを提供された他のサーバをさらに備えることができる。
【発明の効果】
【００４７】
本発明の生体データ管理システム等によれば、まず、歩数計が、歩数計のＩＤと被測定者に関して測定した測定データとを含む測定情報をレシーバへ送信する。次に、血圧計または体組成計が、被測定者に関して生体データを測定する。測定した生体データをレシーバへ送信する。体組成計等のように生体データ測定器が生体データの測定に際し被測定者に関する所定の設定情報を要する場合、測定情報の送信と生体データの測定との間に、以下の処理が加わる。すなわち、レシーバは、歩数計から測定情報が送信された後、送信された歩数計のＩＤに対応する被測定者のＩＤと関連付けてデータベースに記録する等の管理が行われた所定の設定情報が有るか無いかを判断する。所定の設定情報が有ると判断された場合、被測定者のＩＤと関連付けて管理された所定の設定情報を体組成計へ送信する。体組成計の生体データ測定は、送信された所定の設定情報に基づき被測定者に関して体組成に関する値（例えば、体脂肪率）を測定する。一方、所定の設定情報が有ると判断されなかった場合、レシーバは、所定の通知を体組成計へ送信する。体組成計は、送信された所定の通知に基づき所定の設定情報を入力させ、入力させた所定の設定情報をレシーバへ送信する。レシーバは、送信された測定情報に含まれる歩数計のＩＤに対応する被測定者のＩＤと送信された所定の設定情報とを関連付けてデータベースに記録する等の管理を行う。以下、生体データの管理を行う。一方、体組成計の生体データ測定は、入力された所定の設定情報に基づき被測定者に関して体組成に関する値（例えば、体脂肪率）を測定する。以下、生体データ送信、生体データ管理と処理を進めればよい。
【００４８】
レシーバは、送信された測定情報に含まれる歩数計のＩＤに対応する被測定者のＩＤと送信された生体データとを関連付けてデータベースに記録する等の管理を行う。歩数計は被測定者毎に所持されているため、歩数計のＩＤは被測定者のＩＤとして用いることができる。このため、レシーバ内のデータベースには予め歩数計のＩＤと被測定者のＩＤとが紐付けされて記録されている。レシーバは、データベースを検索することにより送信された測定情報に含まれる歩数計のＩＤと紐付けされて記録された被測定者のＩＤを得ることができる。つまり、レシーバは当該被測定者の個人認証を行っていることになる。すなわち、不特定多数の人数をユーザとする会社または事業所において、ＰＣに替えてレシーバを用いた場合であっても、被測定者毎に所持されている歩数計のＩＤを用いることにより被測定者の個人認証を行うことができる。レシーバ内のデータベースには被測定者のＩＤと各種の生体データとを関連付けて記録するため、結局、被測定者毎に所持されている歩数計のＩＤを用いることにより、被測定者とその測定データとを関連付けすることができるという効果がある。
【発明を実施するための最良の形態】
【００４９】
以下、各実施例について図面を参照して詳細に説明する。
【実施例１】
【００５０】
図１は、本発明の実施例１における生体データ管理システム１を示す。生体データ管理システム１は、不特定多数の人数をユーザとする会社または事業所に設けられているものとする。図１において、符号１０は歩数計（データ測定器）、２０は業務用の血圧計（生体データ測定器）、３０は業務用の体組成計（生体データ測定器）、４０は歩数計１０、血圧計２０および体組成計３０と無線または有線で接続されたレシーバ（データ送受信装置）である。歩数計１０とレシーバ４０との間の接続（通信）は、特願２００６−５６９９８に示される家庭用のレシーバと同様に赤外線等の無線を用いることが好適である。赤外線送信のフォーマットとしては、一般的な家電製品協会フォーマット等またはオリジナルなフォーマット等を用いればよい。歩数計１０をレシーバ４０に載せる等の簡単な操作により測定データを自動的にレシーバ４０へ送信することができる。血圧計２０とレシーバ４０との間の接続は、ＲＳ−２３２Ｃ等のシリアル・インタフェースにより有線接続されていることが好適である。同様に、体組成計３０とレシーバ４０との間の接続もＲＳ−２３２Ｃ等のシリアル・インタフェースにより有線接続されていることが好適である。血圧計２０、体組成計３０とレシーバ４０との間の接続を特定小電力無線とすることもできる。特定小電力無線とは、免許を必要としない無線であり、アンテナ電力が１０ｍＷ以下の近距離用の無線（特定小電力無線局テレメータ用、テレコントロール用及びデータ伝送用無線設備標準規格ＡＲＩＢＳＴＤ−Ｔ６７）である。通信可能な距離は５０〜１００ｍ程度であるが、見通しが立たないような状況でも通信可能である。
【００５１】
図１において、符号１１は歩数計１０の機能を示す機能ブロックである。機能ブロック１１に示されるように、歩数計１０は、歩数計１０のＩＤと被測定者に関して測定した測定データとを含む測定情報ＭＩをレシーバ４０へ送信する測定情報送信部（測定情報送信手段）１２を備えている。上述した測定情報送信部１２の機能を備えていれば、データ測定器としては歩数計１０以外の測定器であってもよい。データ測定器として歩数計１０をとり上げた場合、測定データは歩数となる。
【００５２】
図１において、符号２１は血圧計２０の機能を示す機能ブロックである。機能ブロック２１に示されるように、血圧計２０は、被測定者に関して生体データＢＤを測定する生体データ測定部（生体データ測定手段）２２と、生体データ測定部２２により測定した生体データＢＤをレシーバ４０へ送信する生体データ送信部（生体データ送信手段）２３とを備えている。
【００５３】
図１において、符号３１は体組成計３０の機能を示す機能ブロックである。機能ブロック３１に示されるように、体組成計３０は、血圧計２０と同様に生体データ測定部２２と生体データ送信部２３とを備えている。体組成計３０の他の機能に関しては後述する。
【００５４】
図１において、符号４１はレシーバ４０の機能を示す機能ブロックである。機能ブロック４１に示されるように、レシーバ４０は、測定情報送信部１２により送信された測定情報ＭＩに含まれる歩数計１０のＩＤに対応した被測定者のＩＤと生体データ送信部２３により送信された生体データＢＤとを関連付けてデータベース５０ｂ（後述）に記録する等の管理を行う生体データ管理部（生体データ管理手段）４２を備えている。歩数計１０は被測定者毎に所持されているため、歩数計１０のＩＤは被測定者のＩＤとして用いることができる。このため、レシーバ４０内のデータベース５０ａ（後述）には予め歩数計１０のＩＤと被測定者のＩＤとが紐付けされて記録されている。生体データ管理部４２は、データベース５０ａを検索することにより測定情報送信部１２により送信された測定情報ＭＩに含まれる歩数計１０のＩＤと紐付けされて記録された被測定者のＩＤを得ることができる。つまり、生体データ管理部４２は当該被測定者の個人認証を行っていることになる。従って、図１に示されるような不特定多数の人数をユーザとする会社または事業所において、ＰＣに替えてレシーバ４０を用いた場合であっても、被測定者毎に所持されている歩数計１０のＩＤを用いることにより被測定者の個人認証を行うことができる。レシーバ４０内のデータベース５０ｂ、５０ｃ（後述）には被測定者のＩＤと各種の生体データとを関連付けて記録するため、結局、被測定者毎に所持されている歩数計１０のＩＤを用いることにより、被測定者とその測定データとを関連付けすることができる。レシーバ４０は、測定情報送信部１２によりレシーバ４０へ測定情報ＭＩが送信された後、被測定者に対するガイダンス等の所定の出力を行う出力部（出力手段）４３を備えている。ガイダンス等は音声による出力であることが好適であるが、ディスプレイ等の表示部（不図示）にガイダンス等を文字等で表示するような出力であってもよい。レシーバ４０の他の機能に関しては後述する。
【００５５】
図２は、本発明の実施例１における生体データ管理方法の流れをフローチャートで示す。図２で、左側のフローチャートは歩数計１０の処理の流れを示し、中央のフローチャートはレシーバ４０の処理の流れを示し、右側のフローチャートは血圧計２０または体組成計３０等の生体データ測定器の処理の流れを示し、相互の通信は各フローチャート間を結ぶ点線により示す。図２に示されるように、まず、歩数計１０が、歩数計１０のＩＤと被測定者に関して測定した測定データとを含む測定情報ＭＩをレシーバ４０へ送信する（測定情報送信ステップ。ステップＳ１０）。
【００５６】
次に、血圧計２０または体組成計３０が、被測定者に関して生体データＢＤを測定する（生体データ測定ステップ。ステップＳ２４）。生体データ測定ステップ（ステップＳ２４）で測定した生体データＢＤをレシーバ４０へ送信する（生体データ送信ステップ。ステップＳ２６）。
【００５７】
レシーバ４０が、測定情報送信ステップ（ステップＳ１０）で送信された測定情報ＭＩに含まれる歩数計１０のＩＤに対応した被測定者のＩＤと生体データ送信ステップ（ステップＳ２６）で送信された生体データＢＤとを関連付けてデータベース５０ｂに記録する等の管理を行う（生体データ管理ステップ。ステップＳ５０）。簡略化のため図２では省略したが、レシーバ４０は測定情報送信ステップ（ステップＳ１０）で送信された測定情報ＭＩを受信した後、生体データＢＤの受信待ちとなっている。あるいは、レシーバ４０は測定情報送信ステップ（ステップＳ１０）で送信された測定情報ＭＩを受信した後、血圧計２０または体組成計３０の被測定者に対するガイダンス等の所定の出力を行う出力ステップ（不図示）を実行し、その後、上述したような生体データＢＤの受信待ちとすることもできる。ガイダンス等は上述のように音声または表示とすることができ、例えば、「血圧計の測定開始ボタンを押して下さい。または「体組成計に乗って下さい。」等とすることができる。
【００５８】
以上の説明は、血圧計２０と体組成計３０とに共通の機能に関するものであった。しかし、血圧計２０のような生体データ測定器は他の生体情報を要さずに血圧等の生体データＢＤを測定することが可能であるのに対し、体組成計３０のような生体データ測定器は他の生体情報を必要とする。例えば、被測定者に関する身長、年齢および性別という被測定者に関する生体情報（所定の設定情報）ＳＩを要する。この点について、図１に戻って説明する。
【００５９】
図１の機能ブロック４１に示されるように、体組成計３０が生体データＢＤの測定に際し被測定者に関する上記所定の設定情報ＳＩを要する場合、レシーバ４０は、生体データ管理部４２による管理（被測定者のＩＤと生体データＢＤとを関連付けてデータベース５０ｂに記録する等の管理）に先立ち、測定情報送信部１２により送信された歩数計１０のＩＤと対応する被測定者のＩＤと関連付けて管理された所定の設定情報ＳＩの有無（データベース５０ｃに被測定者のＩＤと関連付けて記録された所定の設定情報ＳＩが有るか無いか）を判断する判断部（判断手段）４４と、判断部４４により被測定者のＩＤと関連付けて管理された所定の設定情報ＳＩが有ると判断された場合、被測定者のＩＤと関連付けて管理された所定の設定情報ＳＩを体組成計３０へ送信するデータ送受信装置側設定情報送信部（データ送受信装置側設定情報送信手段）４５とをさらに備えている。以上に対応して、体組成計３０の生体データ測定部２２は、データ送受信装置側設定情報送信部４５により送信された所定の設定情報ＳＩに基づき被測定者に関して生体データＢＤを測定する。
【００６０】
上述のように、判断部４４により被測定者のＩＤと関連付けて管理された所定の設定情報が有ると判断されるのは、既に所定の設定情報ＳＩの入力が行われ、被測定者のＩＤとこの所定の設定情報ＳＩとが関連付けて管理（記録）されていた場合である。最初に体組成計３０を使用する場合には、所定の設定情報ＳＩを入力させる必要がある。
【００６１】
上述の判断部４４により被測定者のＩＤと関連付けて管理された所定の設定情報ＳＩが有ると判断されなかった場合、図１の機能ブロック４１に示されるように、体組成計３０は、レシーバ４０から送信された所定の通知ＴＩに基づき被測定者に所定の設定情報ＳＩを入力させる設定情報入力部（設定情報入力手段）３２と、設定情報入力部３２により被測定者に入力させた所定の設定情報ＳＩをレシーバ４０へ送信する設定情報送信部（設定情報送信手段）３３とをさらに備えることができる。
【００６２】
レシーバ４０は、上記所定の通知ＴＩを体組成計３０へ送信する通知部（通知手段）４６と、測定情報送信部１２により送信された測定情報ＭＩに含まれる歩数計１０のＩＤに対応する被測定者のＩＤと設定情報送信部３３により送信された所定の設定情報ＳＩとを関連付けてデータベース５０ｃに記録する等の管理を行なう設定情報管理部（設定情報管理手段）４７とをさらに備えることができる。以上に対応して、体組成計３０の生体データ測定部２２は、設定情報入力部３２により被測定者に入力させた所定の設定情報ＳＩに基づき被測定者に関して生体データＢＤを測定する。
【００６３】
図３は、本発明の実施例１における、体組成計３０等のように生体データＢＤの測定に際し被測定者に関する所定の設定情報ＳＩを要する場合の生体データ管理方法の流れをフローチャートで示す。図３は図２のフローチャートに生体データＢＤの測定に際し被測定者に関する所定の設定情報ＳＩを要する場合の処理を付け加えたものであり、基本的な点は図２と同様である。図３で図２と同じステップＳ番号を付したブロックは同じ処理を行うため説明は省略する。
【００６４】
体組成計３０等のように生体データ測定器が生体データＢＤの測定に際し被測定者に関する所定の設定情報ＳＩを要する場合、図３に示されるように、測定情報送信ステップ（ステップＳ１０）と生体データ測定ステップ（ステップＳ２６）との間に、以下のステップがさらに加わる。すなわち、レシーバ４０は、測定情報送信ステップ（ステップＳ１０）で歩数計１０から測定情報ＭＩが送信された後、測定情報送信ステップ（ステップＳ１０）で送信された歩数計１０のＩＤに対応する被測定者のＩＤと関連付けてデータベース５０ｃに記録する等の管理が行われた所定の設定情報ＳＩが有るか無いかを判断する（判断ステップ。ステップＳ４０）。判断ステップ（ステップＳ４０）で被測定者のＩＤと関連付けて管理された所定の設定情報ＳＩが有ると判断された場合、被測定者のＩＤと関連付けて管理された所定の設定情報ＳＩを体組成計３０へ送信する（データ送受信装置側設定情報送信ステップ。ステップ４２）。
【００６５】
体組成計３０の生体データ測定ステップ（ステップＳ２４ａ）は、データ送受信装置側設定情報送信ステップ（ステップＳ４２）で送信された所定の設定情報ＳＩに基づき被測定者に関して体組成に関する値（例えば、体脂肪率）（生体データＢＤ）を測定する。図２の生体データ測定ステップ（ステップＳ２４）は、生体データ測定器が生体データＢＤの測定に際し被測定者に関する所定の設定情報ＳＩを要さない場合と要する場合との２つを含む一般的なものであるため、これと区別する都合上、図３の生体データ測定ステップのステップＳ番号はＳ２４ａとしてある。以下、図２と同様に生体データ送信ステップ（ステップＳ２６）、生体データ管理ステップ（ステップＳ５０）と処理が進む。
【００６６】
一方、判断ステップ（ステップＳ４０）で被測定者のＩＤと関連付けて管理された所定の設定情報ＳＩが有ると判断されなかった場合、レシーバ４０は、所定の通知ＴＩを体組成計４０へ送信する（通知ステップ。ステップＳ４４）。所定の通知ＴＩとしては設定情報ＳＩを要求する通知であればよい。
【００６７】
体組成計３０は、通知ステップ（ステップＳ４４）で送信された所定の通知ＴＩに基づき所定の設定情報ＳＩを被測定者に入力させる（設定情報入力ステップ。ステップＳ２０）。設定情報入力ステップ（ステップＳ２０）で被測定者に入力させた所定の設定情報ＳＩをレシーバ４０へ送信する（設定情報送信ステップ。ステップＳ２２）。
【００６８】
レシーバ４０は、測定情報送信ステップ（ステップＳ１０）で送信された測定情報ＭＩに含まれる歩数計１０のＩＤに対応する被測定者のＩＤと設定情報送信ステップ（ステップＳ２２）で送信された所定の設定情報ＳＩとを関連付けてデータベース５０ｃに記録する等の管理を行う（設定情報管理ステップ。ステップＳ４６）。以下、生体データ管理ステップ（ステップＳ５０）へ処理が進む。
【００６９】
一方、体組成計３０の生体データ測定ステップ（ステップＳ２４ｂ）は、設定情報入力ステップ（ステップＳ２０）で入力された所定の設定情報ＳＩに基づき被測定者に関して体組成に関する値（例えば、体脂肪率）（生体データＢＤ）を測定する。生体データ測定ステップ（ステップＳ２４ｂ）は、図２の生体データ測定ステップ（ステップＳ２４）および図３の生体データ測定ステップ（ステップＳ２４ａ）と区別する都合上、ステップＳ番号はＳ２４ｂとしてある。以下、図２と同様に生体データ送信ステップ（ステップＳ２６）、生体データ管理ステップ（ステップＳ５０）と処理が進む。
【００７０】
簡略化のため図３では省略したが、レシーバ４０は判断ステップ（ステップＳ４０）で被測定者のＩＤと関連付けて管理された所定の設定情報ＳＩが有ると判断された場合、データ送受信装置側設定情報送信ステップ（ステップＳ４２）で設定情報ＳＩを送信した後、生体データＢＤの受信待ちとなっている。あるいは、レシーバ４０はデータ送受信装置側設定情報送信ステップ（ステップＳ４２）で設定情報ＳＩを送信した後、体組成計３０の被測定者に対するガイダンス等の所定の出力を行う出力ステップ（不図示）を実行し、その後、上述したような生体データＢＤの受信待ちとすることもできる。ガイダンス等は上述のように音声または表示とすることができ、例えば、「体組成計に乗って下さい。」等とすることができる。一方、レシーバ４０は判断ステップ（ステップＳ４０）で被測定者のＩＤと関連付けて管理された所定の設定情報ＳＩが有ると判断されなかった場合、通知ステップ（ステップＳ４４）で所定の通知ＴＩを送信した後、設定情報ＳＩの受信待ちとなっている。設定情報管理ステップ（ステップＳ４６）の後は、生体データＢＤの受信待ちとなっている。このため、判断ステップ（ステップＳ４０）における設定情報ＳＩの有無の判断結果によらず生体データＢＤの受信待ちは共通とすることができる。
【００７１】
同様に簡略化のため図３では省略したが、体組成計３０は生体データ測定ステップ（ステップＳ２４ａ）と設定情報入力ステップ（ステップＳ２０）とに先立ち、設定情報ＳＩおよび通知ＴＩの受信待ちとなっている。設定情報ＳＩを受信した場合は生体データ測定ステップ（ステップＳ２４ａ）へ飛び、通知ＴＩを受信した場合は設定情報入力ステップ（ステップＳ２０）へ飛ぶ。
【００７２】
図４（Ａ）は、歩数計のＩＤと被測定者のＩＤとを紐付けして記録する等の管理を行うためのデータベース５０ａを示し、図４（Ｂ）は被測定者のＩＤと生体データＢＤとを関連付けて記録する等の管理を行うためのデータベース５０ｂを示し、図４（Ｃ）は、被測定者のＩＤと設定情報ＳＩとを関連付けて記録する等の管理を行うためのデータベース５０ｃを示す。図４（Ａ）に示されるように、データベース５０ａは歩数計ＩＤ欄５１と被測定者ＩＤ欄５２とを有している。例えば、歩数計ＩＤが「ＰＥＤＩＤ００１」の被測定者のＩＤは被測定者ＩＤ欄５２に示されているように、ＵＩＤ００１となっている。図４（Ｂ）に示されるように、データベース５０ｂは被測定者ＩＤ欄５２と血圧（ｍｍＨｇ）欄５３と体脂肪率（％）欄５４とを有している。例えば、被測定者ＩＤが「ＵＩＤ００１」の被測定者の血圧は血圧欄５３に示されるように（１１０、７０）となっている。これは最高血圧が１１０ｍｍＨｇで最低血圧が７０ｍｍＨｇであることを示す。当該被測定者の体脂肪率は体脂肪率欄５４に示されるように１５％となっている。図４（Ｂ）では生体データＢＤは血圧と体脂肪率との２種類が示されているが、他の生体データも同様に被測定者ＩＤと関連付けて記録し管理を行うことができる。図４（Ｃ）に示されるように、データベース５０ｃは被測定者ＩＤ欄５２と身長（ｃｍ）欄５５と性別欄５６と年齢（才）欄５７とを有している。例えば、被測定者ＩＤが「ＵＩＤ００１」の被測定者の身長は身長欄５５に示されるように１６５ｃｍとなっている。当該被測定者の性別は性別欄５６に示されるようにＭとなっている。性別欄５６では男性をＭ、女性をＦで表している。当該被測定者の年齢は年齢欄５７に示されるように２７才となっている。図４（Ｃ）は体組成計３０のための設定情報ＳＩを例にデータベース５０ｃを示したが、他の生体データの測定に際して他の設定情報ＳＩを要する場合には別のデータベース５０ｄ、５０ｅ等を用意すればよい。
【００７３】
以上説明した歩数計１０、血圧計２０、体組成計３０およびレシーバ４０の各機能は、ソフトウェアまたはハードウェア、あるいはソフトウェアとハードウェアとの組合せにより実現することができる。ソフトウェアによる場合、図２および図３で示された歩数計１０、レシーバ４０、血圧計２０および体組成計３０の各フローチャートは、歩数計１０、レシーバ４０、血圧計２０および体組成計３０の各コンピュータ（不図示）が実行するプログラムのフローチャートとなる。これらのプログラムは各種の脱着可能な記録媒体に記録しておくことができる。
【００７４】
以上より、本発明の実施例１によれば、まず、歩数計１０が、歩数計１０のＩＤと被測定者に関して測定した測定データとを含む測定情報ＭＩをレシーバ４０へ送信する。次に、血圧計２０または体組成計３０が、被測定者に関して生体データＢＤを測定する。測定した生体データＢＤをレシーバ４０へ送信する。生体データ管理部４２は、送信された測定情報ＭＩに含まれる歩数計１０のＩＤに対応する被測定者のＩＤと送信された生体データＢＤとを関連付けてデータベース５０ｂに記録する等の管理を行う。体組成計３０等のように生体データ測定器が生体データＢＤの測定に際し被測定者に関する所定の設定情報ＳＩを要する場合、測定情報ＭＩの送信と生体データＢＤの測定との間に、以下の処理を加えればよい。すなわち、レシーバ４０は、歩数計１０から測定情報ＭＩが送信された後、送信された歩数計１０のＩＤに対応する被測定者のＩＤと関連付けてデータベース５０ｃに記録する等の管理が行われた所定の設定情報ＳＩが有るか無いかを判断する。所定の設定情報ＳＩが有ると判断された場合、被測定者のＩＤと関連付けて管理された所定の設定情報ＳＩを体組成計３０へ送信する。体組成計３０の生体データ測定部２２は、送信された所定の設定情報ＳＩに基づき被測定者に関して体組成に関する値（例えば、体脂肪率）（生体データＢＤ）を測定する。一方、所定の設定情報ＳＩが有ると判断されなかった場合、レシーバ４０は、所定の通知ＴＩを体組成計４０へ送信する。体組成計３０は、送信された所定の通知ＴＩに基づき所定の設定情報ＳＩを入力させ、入力させた所定の設定情報ＳＩをレシーバ４０へ送信する。  レシーバ４０は、送信された測定情報ＭＩに含まれる歩数計１０のＩＤに対応する被測定者のＩＤと送信された所定の設定情報ＳＩとを関連付けてデータベース５０ｃに記録する等の管理を行う。以下、生体データの管理を行う。一方、体組成計３０の生体データ測定部２２は、入力された所定の設定情報ＳＩに基づき被測定者に関して体組成に関する値（例えば、体脂肪率）（生体データＢＤ）を測定する。以下、生体データ送信、生体データ管理と処理を進めればよい。
【００７５】
歩数計１０は被測定者毎に所持されているため、歩数計１０のＩＤは被測定者のＩＤとして用いることができる。このため、レシーバ４０内のデータベース５０ａには予め歩数計１０のＩＤと被測定者のＩＤとが紐付けされて記録されている。生体データ管理部４２は、データベース５０ａを検索することにより測定情報送信部１２により送信された測定情報ＭＩに含まれる歩数計１０のＩＤと紐付けされて記録された被測定者のＩＤを得ることができる。つまり、生体データ管理部４２は当該被測定者の個人認証を行っていることになる。すなわち、不特定多数の人数をユーザとする会社または事業所において、ＰＣに替えてレシーバ４０を用いた場合であっても、被測定者毎に所持されている歩数計１０のＩＤを用いることにより被測定者の個人認証を行うことができる。レシーバ４０内のデータベース５０ｂ、５０ｃには被測定者のＩＤと各種の生体データとを関連付けて記録するため、結局、被測定者毎に所持されている歩数計１０のＩＤを用いることにより、被測定者とその測定データとを関連付けすることができる。
【実施例２】
【００７６】
実施例２では、判断部４４により被測定者のＩＤと関連付けて管理された所定の設定情報ＳＩが有ると判断されなかった場合、実施例１のような体組成計３０ではなく歩数計１０が所定の設定情報ＳＩを被測定者に入力させ、入力させた所定の設定情報ＳＩをレシーバ４０へ送信する。
【００７７】
図５は、本発明の実施例２における生体データ管理システム２を示す。図５で図１と同じ符号を付した箇所は同じ要素または機能を示すため、説明は省略する。判断部４４により被測定者のＩＤと関連付けて管理された所定の設定情報ＳＩが有ると判断されなかった場合、図５に示されるように、歩数計１０は、レシーバ４０から送信された所定の通知ＴＩに基づき所定の設定情報ＳＩを被測定者に入力させる設定情報入力部（設定情報入力手段）３２’と、設定情報入力部３２’により入力させた所定の設定情報ＳＩをレシーバ４０へ送信する設定情報送信部（設定情報送信手段）３３’とをさらに備えている。一方、体組成計３１の機能ブロック３１からは設定情報入力部３２と設定情報送信部３３とがなくなっている。設定情報入力部３２’と図１に示される設定情報入力部３２とは機能的には同じであるが、当該機能を備えている装置が異なるため、「’」を付けて区別してある。設定情報送信部３３’についても同様である。
【００７８】
レシーバ４０は、所定の通知ＴＩを歩数計１０へ送信する通知部（通知手段）４６’と、測定情報送信部１２により送信された歩数計１０のＩＤに対応する測定情報ＭＩに含まれる被測定者のＩＤと設定情報送信部３３’により送信された所定の設定情報ＳＩとを関連付けて管理する設定情報管理部（設定情報管理手段）４７’と、設定情報管理部４７’により被測定者のＩＤと関連付けて管理された所定の設定情報ＳＩを体組成計３０へ送信する初回データ送受信装置側設定情報送信部（送信初回データ送受信装置側設定情報送信手段）４５’とを備えている。通知部４６’と図１に示される通知部４６とは機能的には同じであるが、所定の通知ＴＩを送信する先が歩数計１０であるか体組成計３０であるかという点で異なるため、「’」を付けて区別してある。設定情報管理部４７’と図１に示される設定情報管理部４７とは機能的には同じであるが、所定の設定情報ＳＩの送信元が設定情報送信部３３’であるか設定情報送信部３３であるかという点で異なるため、「’」を付けて区別してある。初回データ送受信装置側設定情報送信部４５’とデータ送受信装置側設定情報送信部４５とは機能的には同じであるが、最初だけ所定の設定情報ＳＩを送信するか否かという点で異なるため、「’」を付けて区別してある。しかし、所定の設定情報ＳＩを送信するという点では同じであるため、実際には１つのデータ送受信装置側設定情報送信部があれば十分である。
【００７９】
体組成計３０の生体データ測定部（生体データ測定手段）２２’は、初回データ送受信装置側設定情報送信部４５’により送信された所定の設定情報ＳＩに基づき被測定者に関して生体データを測定する。生体データ測定部２２’と図１に示される生体データ測定部２２とは機能的には同じであるが、所定の設定情報ＳＩの送信元が初回データ送受信装置側設定情報送信部４５’であるかデータ送受信装置側設定情報送信部４５であるかという点で異なるため、「’」を付けて区別してある。しかし、実際には、レシーバ４０側から同じ所定の設定情報ＳＩが送信されてくるため、１つの生体データ測定部とすれば十分である。
【００８０】
図６は、本発明の実施例２における生体データ管理方法の流れをフローチャートで示す。図６で図３と同じステップＳ番号を付したブロックは同じ処理を行うため説明は省略する。図６に示されるように、判断ステップ（ステップＳ４０）で被測定者のＩＤと関連付けて管理された所定の設定情報ＳＩが有ると判断されなかった場合、レシーバ４０は、所定の通知ＴＩを歩数計１０へ送信する（通知ステップ。ステップＳ４４’）。通知ステップ（ステップＳ４４’）と図３に示される通知ステップ（ステップＳ４４）とは同様の処理を行うが、所定の通知ＴＩを送信する先が歩数計１０であるか体組成計３０であるかという点で異なるため、ステップＳ番号に「’」を付けて区別してある。
【００８１】
歩数計１０は、通知ステップ（ステップＳ４４’）で送信された所定の通知ＴＩに基づき所定の設定情報ＳＩを被測定者に入力させる設定情報入力ステップ（ステップＳ２０’）と、設定情報入力ステップ（ステップＳ２０’）で入力させた所定の設定情報ＳＩをレシーバ４０へ送信する設定情報送信ステップ（ステップＳ２２’）とを備えている。設定情報入力ステップ（ステップＳ２０’）と図３に示される設定情報入力ステップ（ステップＳ２０）とは同様の処理を行うが、当該処理を実行する装置が異なるため、ステップＳ番号に「’」を付けて区別してある。設定情報送信ステップ（ステップＳ２２’）についても同様である。
【００８２】
レシーバ４０は、測定情報送信ステップ（ステップＳ１０）で送信された測定情報ＭＩに含まれる歩数計１０のＩＤに対応する被測定者のＩＤと設定情報送信ステップ（ステップＳ２２’）で送信された所定の設定情報ＳＩとを関連付けて管理する設定情報管理ステップ（ステップＳ４６’）と、設定情報管理ステップ（ステップＳ４６’）で被測定者のＩＤと関連付けて管理された所定の設定情報ＳＩを体組成計３０へ送信する初回データ送受信装置側設定情報送信ステップ（ステップＳ４２’）とを備えている。設定情報管理ステップ（ステップＳ４６’）と図３に示される設定情報管理ステップ（ステップＳ４６）とは同様の処理を行うが、所定の設定情報ＳＩの送信が設定情報送信ステップ（ステップＳ２２’）で行なわれるか設定情報送信ステップ（ステップＳ２２）で行なわれるかという点で異なるため、ステップＳ番号に「’」を付けて区別してある。初回データ送受信装置側設定情報送信ステップ（ステップＳ４２’）とデータ送受信装置側設定情報送信ステップ（ステップＳ４２）とは同様の処理を行うが、最初だけ所定の設定情報ＳＩを送信するか否かという点で異なるため、ステップＳ番号に「’」を付けて区別してある。しかし、所定の設定情報ＳＩを送信するという点では同じであるため、実際には設定情報管理ステップ（ステップＳ４６‘）の後、データ送受信装置側設定情報送信ステップ（ステップＳ４２）へ飛ばしてもよい。
【００８３】
生体データ測定ステップ（ステップＳ２４ｂ’）は、初回データ送受信装置側設定情報送信ステップ（ステップＳ４２’）で送信された所定の設定情報ＳＩに基づき被測定者に関して生体データを測定する。生体データ測定ステップ（ステップＳ２４ｂ’）と図３に示される生体データ測定ステップ（ステップＳ２４ｂ）とは同様の処理を行うが、所定の設定情報ＳＩの入手元が異なるため、ステップＳ番号に「’」を付けて区別してある。
【００８４】
簡略化のため図６では省略したが、図３の場合と同様に、レシーバ４０はデータ送受信装置側情報送信ステップ（ステップＳ４２）で設定情報ＳＩを送信した後、生体データＢＤの受信待ちとなっている。体組成計３０の被測定者に対するガイダンス等の所定の出力を行う出力ステップ（不図示）を実行し、その後、生体データＢＤの受信待ちとすることもできる点も同様である。通知ステップ（ステップＳ４４’）で所定の通知ＴＩを送信した後、設定情報ＳＩの受信待ちとなっている点も設定情報ＳＩの送信元が異なる点を除き図３の場合と同様である。初回データ送受信装置側設定情報送信ステップ（ステップＳ４２’）の後は、生体データＢＤの受信待ちとなっている。このため、判断ステップ（ステップＳ４０）における設定情報ＳＩの有無の判断結果によらず生体データＢＤの受信待ちは共通とすることができる。
【００８５】
同様に簡略化のため図６では省略したが、体組成計３０は生体データ測定ステップ（ステップＳ２４ａ）と生体データ測定ステップ（ステップＳ２４ｂ’）とに先立ち、設定情報ＳＩの受信待ちとなっている。図６では、図３との対比のため２つの生体データ測定ステップ（ステップＳ２４ａおよびステップＳ２４ｂ’）を並列的に表示したが、いずれもレシーバ４０側から同じ設定情報ＳＩが送信されるため、実際には１つの生体データ測定ステップがあれば十分である。
【００８６】
以上より、本発明の実施例２によれば、判断部４４により被測定者のＩＤと関連付けて管理された所定の設定情報ＳＩが有ると判断されなかった場合、実施例１のような体組成計３０ではなく歩数計１０が所定の設定情報ＳＩを被測定者に入力させ、入力させた所定の設定情報ＳＩをレシーバ４０へ送信することができる。実施例２においても実施例１と同様に、不特定多数の人数をユーザとする会社または事業所において、ＰＣに替えてレシーバ４０を用いた場合であっても、被測定者毎に所持されている歩数計１０のＩＤを用いることにより被測定者の個人認証を行うことができる。さらに、体組成計３０側の機能を歩数計１０側へ移すことにより、被測定者が初めて体組成計３０を使用する場合、普段から操作に慣れている歩数計１０を用いて所定の設定情報ＳＩを入力することができるため、所定の設定情報ＳＩの入力を容易且つ迅速に行うことができる。
【実施例３】
【００８７】
実施例３では、判断部４４により被測定者のＩＤと関連付けて管理された所定の設定情報ＳＩが有ると判断されなかった場合、実施例２と同様に歩数計１０が所定の設定情報ＳＩを被測定者に入力させる。但し、入力させた所定の設定情報ＳＩをレシーバ４０だけでなく体組成計３０へも送信する。
【００８８】
図７は、本発明の実施例３における生体データ管理システム３を示す。図７で図５と同じ符号を付した箇所は同じ要素または機能を示すため、説明は省略する。判断部４４により被測定者のＩＤと関連付けて管理された所定の設定情報ＳＩが有ると判断されなかった場合、図７に示されるように、歩数計１０は、実施例２と同様の設定情報入力部（設定情報入力手段）３２’と、設定情報入力部３２’により入力させた所定の設定情報ＳＩをレシーバ４０および体組成計３０へ送信する設定情報送信部（設定情報送信手段）３３’’とをさらに備えている。設定情報送信部３２’’は図５に示される設定情報送信部３３’とは異なり所定の設定情報ＳＩをレシーバ４０だけでなく体組成計３０へも送信するため、「’’」を付けて区別してある。
【００８９】
レシーバ４０は、実施例２と同様の通知部（通知手段）４６’と設定情報管理部（設定情報管理手段）４７’とを備えている。実施例３では歩数計１０が体組成計３０へ最初に所定の設定情報ＳＩを送信するため、実施例２の初回データ送受信装置側設定情報送信部４５’はない。
【００９０】
体組成計３０の生体データ測定部（生体データ測定手段）２２’’は、設定情報送信部３３’’により送信された所定の設定情報ＳＩに基づき被測定者に関して生体データを測定する。生体データ測定部２２’’と図５に示される生体データ測定部２２’とは機能的には同じであるが、所定の設定情報ＳＩの送信元が設定情報送信部３３’’であるか初回データ送受信装置側設定情報送信部４５’であるかという点で異なるため、「’’」を付けて区別してある。
【００９１】
図８は、本発明の実施例３における生体データ管理方法の流れをフローチャートで示す。図８で図６と同じステップＳ番号を付したブロックは同じ処理を行うため説明は省略する。図８に示されるように、判断ステップ（ステップＳ４０）で被測定者のＩＤと関連付けて管理された所定の設定情報ＳＩが有ると判断されなかった場合、レシーバ４０は、実施例２と同様に所定の通知ＴＩを歩数計１０へ送信する通知ステップ（ステップＳ４４’）。
【００９２】
歩数計１０は、実施例２と同様の設定情報入力ステップ（ステップＳ２０’）と、設定情報入力ステップ（ステップＳ２０’）で入力させた所定の設定情報ＳＩをレシーバ４０および体組成計３０へ送信する設定情報送信ステップ（ステップＳ２２’’）とを備えている。設定情報入力ステップ（ステップＳ２０’’）は図６に示される設定情報入力ステップ（ステップＳ２０’）とは異なり所定の設定情報ＳＩをレシーバ４０だけでなく体組成計３０へも送信するため、「’’」を付けて区別してある。
【００９３】
実施例３では歩数計１０が体組成計３０へ最初に所定の設定情報ＳＩを送信するため、設定情報管理ステップ（ステップＳ４６’）の後に実施例２のような初回データ送受信装置側設定情報送信ステップ（ステップＳ４２’）はない。
【００９４】
生体データ測定ステップ（ステップＳ２４ｂ’’）は、設定情報送信ステップ（ステップＳ２２’’）で送信された所定の設定情報ＳＩに基づき被測定者に関して生体データＢＤを測定する。生体データ測定ステップ（ステップＳ２４ｂ’’）と図６に示される生体データ測定ステップ（ステップＳ２４ｂ’）とは同様の処理を行うが、所定の設定情報ＳＩの入手元が異なるため、ステップＳ番号に「’’」を付けて区別してある。
【００９５】
簡略化のため図８では省略したが、図６の場合と同様に、レシーバ４０はデータ送受信装置側設定情報送信ステップ（ステップＳ４２）で設定情報ＳＩを送信した後、生体データＢＤの受信待ちとなっている。体組成計３０の被測定者に対するガイダンス等の所定の出力を行う出力ステップ（不図示）を実行し、その後、生体データＢＤの受信待ちとすることもできる点も同様である。通知ステップ（ステップＳ４４’）で所定の通知ＴＩを送信した後、設定情報ＳＩの受信待ちとなっている点も図６の場合と同様である。設定情報管理ステップ（ステップＳ４６’）の後は、生体データＢＤの受信待ちとなっている。このため、判断ステップ（ステップＳ４０）における設定情報ＳＩの有無の判断結果によらず生体データＢＤの受信待ちは共通とすることができる。
【００９６】
同様に簡略化のため図８では省略したが、図６の場合と同様に、体組成計３０は生体データ測定ステップ（ステップＳ２４ａ）と生体データ測定ステップ（ステップＳ２４ｂ’’）とに先立ち、設定情報ＳＩの受信待ちとなっている。図８では、図６と同様に２つの生体データ測定ステップ（ステップＳ２４ａおよびステップＳ２４ｂ’’）を並列的に表示したが、レシーバ５０と体組成計３０との接続方法、歩数計１０と体組成計３０との接続方法が異なる場合、図６と異なり２つの生体データ測定ステップが必要となる。
【００９７】
以上より、本発明の実施例３によれば、判断部４４により被測定者のＩＤと関連付けて管理された所定の設定情報ＳＩが有ると判断されなかった場合、実施例２と同様に歩数計１０が所定の設定情報ＳＩを被測定者に入力させる。但し、入力させた所定の設定情報ＳＩをレシーバ４０だけでなく体組成計３０へも送信することができる。実施例３においても実施例１および２と同様に、不特定多数の人数をユーザとする会社または事業所において、ＰＣに替えてレシーバ４０を用いた場合であっても、被測定者毎に所持されている歩数計１０のＩＤを用いることにより被測定者の個人認証を行うことができる。さらに、体組成計３０側の機能を歩数計１０側へ移すだけでなく、歩数計１０が所定の設定情報ＳＩをレシーバ４０だけでなく体組成計３０へも送信することができる。この結果、例えばレシーバ４０と体組成計３０とが近接した位置に設置されている場合、歩数計１０は所定の設定情報ＳＩをほぼ同時にレシーバ４０および体組成計３０へ送信することができるため、体組成計３０の生体データの測定をより迅速に行うことができる。
【実施例４】
【００９８】
図９は、本発明の実施例４における生体データ管理システム４を示す。図９で図１と同じ符号を付した箇所は同じ要素を示すため説明は省略する。図９に示される生体データ管理システム４において、符号Ｅ１は実施例１における生体データ管理システム１と同様の不特定多数の人数をユーザとする会社または事業所に設けられた事業所内生体データ管理システムを示している。図１に示された他の機能、要素、送受信データ等は図面の都合上省略するが、事業所内生体データ管理システムＥ１は生体データ管理システム１と同様にこれらの機能等を備えているものとする。図９に示されるように、事業所内生体データ管理システムＥ１において、符号４８は、生体データ管理部４２により管理された被測定者のＩＤとこの被測定者のＩＤに関連付けられた生体データとを、ネットワーク９０を介してレシーバ４０と接続されたサーバ１００へ送信するデータ送受信装置側生体データ送信部（データ送受信装置側生体データ送信手段）４８をさらに備えている。レシーバ４０は、特願２００６−５６９９８に示される家庭用のレシーバと異なり携帯電話用アンテナはなく、その代わりＬＡＮ端子（不図示）を有している。このＬＡＮ端子を介してネットワーク９０と接続されている。ネットワーク９０はインターネットまたは他の専用網とし、常時接続とすることが好適である。符号Ｅ２ないしＥｍも事業所内生体データ管理システムＥ１と同様であり、ネットワーク９０を介してサーバ１００と接続されている。
【００９９】
図９に示される生体データ管理システム４において、符号Ｈ１は特定の人数を被測定者とする家庭内等に設けられた家庭内生体データ管理システムを示している。家庭内生体データ管理システムＨ１において、符号６０は被測定者が特定の人数に制限されている点を除きレシーバ４０とほぼ同様の機能を有する家庭用レシーバであるが、図９では図面の都合上、機能ブロック６１内においてレシーバ６０の有する他の機能は省略する。家庭用レシーバ６０には携帯電話用アンテナ（不図示）が内蔵されており、データ送受信装置側生体データ送信部４８’は携帯電話通信網（不図示）およびネットワーク９０を介してサーバ１００へ生体データ等を送信することができる（通信方法が異なることを示すため、「’」を付けて示す。）。勿論、家庭内生体データ管理システムＨ１において家庭用レシーバ６０の代わりに事業所内生体データ管理システムＥ１のレシーバ４０を使用することも可能である。この場合、レシーバ４０はネットワーク９０へ携帯電話回線網を介さずに接続することになる。家庭内生体データ管理システムＨ１の歩数計１０は事業所内生体データ管理システムＥ１における歩数計１０をそのまま用いることができる。このため、歩数計１０と家庭用レシーバ６０との間における被測定者の個人認証は、歩数計１０とレシーバ４０との間における被測定者の個人認証と同様のものとなる。体組成計７０、血圧計８０は家庭用の生体データ測定器であり、家庭用レシーバ６０とは特定小電力無線により接続することが好適である。符号Ｈ２ないしＨｎも家庭内生体データ管理システムＨ１と同様であり、携帯電話通信網およびネットワーク９０を介してサーバ１００と接続されている。
【０１００】
図９に示されるように、サーバ１００はＨＤＤ等の記録装置１０２を有しており、記録装置１０２には１つ以上のレシーバ４０または家庭用レシーバ６０におけるデータ送受信装置側生体データ送信部４８または４８’により送信された一人以上の被測定者のＩＤとこの被測定者のＩＤに関連付けられた１種類以上の生体データとに基づき作成されたデータベースＤＢ５０ｂ、５０ｃ等（生体データ記録部）が備えられている。以上の結果、事業所内生体データ管理システムＥ１等内、家庭内生体データ管理システムＨ１等内およびサーバ１００内において、同じ被測定者のＩＤを用いることができる。この結果、事業所内生体データ管理システムＥ１等が設置された事業所等の社員は、自分の生体データを事業所内生体データ管理システムＥ１等で測定してサーバ１００側で管理・運用させることができるだけでなく、自分の生体データを家庭内生体データ管理システムＨ１等で測定してサーバ１００側で管理・運用させることもできる。事業所等の社員のＩＤとその家族のＩＤとを関連付けしておけば、サーバ１００側では事業所等の社員だけでなく、その家族の生体データも一括して管理・運用することができる。
【０１０１】
実施例４における生体データ管理方法のフローチャートは省略するが、レシーバ４０または家庭用レシーバ６０は、上述した生体データ管理ステップ（ステップＳ５０）で管理された被測定者のＩＤと被測定者のＩＤに関連付けられた生体データとを、ネットワーク９０を介してレシーバ４０または家庭用レシーバ６０と接続されたサーバ１００へ送信するデータ送受信装置側生体データ送信ステップをさらに備えている。ここで、サーバ１００は、１つ以上のレシーバ４０または家庭用レシーバ６０におけるデータ送受信装置側生体データ送信ステップで送信された一人以上の被測定者のＩＤと被測定者の識別子ＩＤに関連付けられた１種類以上の生体データとに基づき作成されたデータベースＤＢ（生体データ記録部）５０ｂ、５０ｃ等を備えている。
【０１０２】
以上より、本発明の実施例４によれば、事業所内生体データ管理システムＥ１等において、生体データ管理部４２により管理された被測定者のＩＤとこの被測定者のＩＤに関連付けられた生体データとを、ネットワーク９０を介してレシーバ４０と接続されたサーバ１００へ送信するデータ送受信装置側生体データ送信部４８をさらに備えることができる。家庭内生体データ管理システムＨ１等において、レシーバ４０とほぼ同様の機能を有する家庭用レシーバ６０は携帯電話通信網およびネットワーク９０を介してサーバ１００へ生体データ等を送信することができるデータ送受信装置側生体データ送信部４８’を備えることができる。家庭内生体データ管理システムＨ１等の歩数計１０は事業所内生体データ管理システムＥ１等における歩数計１０をそのまま用いることができる。このため、歩数計１０と家庭用レシーバ６０との間における被測定者の個人認証は、歩数計１０とレシーバ４０との間における被測定者の個人認証と同様のものとなる。サーバ１００の有する記録装置１０２には、１つ以上のレシーバ４０または家庭用レシーバ６０におけるデータ送受信装置側生体データ送信部４８または４８’により送信された一人以上の被測定者のＩＤと被測定者のＩＤに関連付けられた１種類以上の生体データとに基づき作成されたデータベースＤＢ５０ｂ、５０ｃ等が備えられている。以上の結果、事業所内生体データ管理システムＥ１等内、家庭内生体データ管理システムＨ１等内およびサーバ１００内において、同じ被測定者のＩＤを用いることができる。この結果、事業所内生体データ管理システムＥ１等が設置された事業所等の社員は、自分の生体データを事業所内生体データ管理システムＥ１等で測定してサーバ１００側で管理・運用させることができるだけでなく、自分の生体データを家庭内生体データ管理システムＨ１等で測定してサーバ１００側で管理・運用させることもできる。事業所等の社員のＩＤとその家族のＩＤとを関連付けしておけば、サーバ１００側では事業所等の社員だけでなく、その家族の生体データも一括して管理・運用することができる。
【実施例５】
【０１０３】
図１０は、本発明の実施例５における生体データ管理システム５を示す。図１０で図９と同じ符号を付した箇所は同じ要素を示すため説明は省略する。図１０で、符号１２０はサーバ１００とネットワーク９０を介して接続され、サーバ１００のデータベースＤＢ５０ｂ、５０ｃ等の有するデータを提供された他のサーバである。他のサーバ１２０はその記録装置１２２内にデータベースＤＢ５０ｂ、５０ｃ等を記録しておくことができる。他のサーバ１２０としては、健康保険組合のサーバが好適である。この結果、サーバ１００と健康保険組合のサーバ１２０とは連携して生体データの管理・運用を行うことができる。通常、事業所等の社員は自分の生体データＢＤを健康保険組合に申告しているため、健康保険組合用に生体データを入力する等の手間がかかる。健康保険組合側では事業所等の社員が実際に生体データを測定しているかどうかの管理を行うことは困難である。しかし、実施例５に示される生体データ管理システム５を用いれば、事業所等の社員の生体データＢＤは自動的に健康保険組合のサーバ１２０へ提供されるため、事業所等の社員にとっては健康保険組合用に生体データＢＤを入力する等の手間がかかることがなくなり、健康保険組合にとっては事業所等の社員が実際に生体データを測定しているかどうかの管理を自動的に行うことができる。
【産業上の利用可能性】
【０１０４】
本発明の生体データ管理システム等の活用例として、保険指導または予防医療の分野への適用が挙げられる。
【図面の簡単な説明】
【０１０５】
【図１】本発明の実施例１における生体データ管理システム１を示す図である。
【図２】本発明の実施例１における生体データ管理方法の流れを示すフローチャートである。
【図３】本発明の実施例１における、体組成計３０等のように生体データの測定に際し被測定者に関する所定の設定情報ＳＩを要する場合の生体データ管理方法の流れを示すフローチャートである。
【図４】歩数計のＩＤと被測定者のＩＤとを紐付けして記録する等の管理を行うためのデータベース５０ａと、被測定者のＩＤと生体データＢＤとを関連付けて記録する等の管理を行うためのデータベース５０ｂと、被測定者のＩＤと設定情報ＳＩとを関連付けて記録する等の管理を行うためのデータベース５０ｃとを示す図である。
【図５】本発明の実施例２における生体データ管理システム２を示す図である。
【図６】本発明の実施例２における生体データ管理方法の流れを示すフローチャートである。
【図７】本発明の実施例３における生体データ管理システム３を示す図である。
【図８】本発明の実施例３における生体データ管理方法の流れを示すフローチャートである。
【図９】本発明の実施例４における生体データ管理システム４を示す図である。
【図１０】本発明の実施例４における生体データ管理システム５を示す図である。
【符号の説明】
【０１０６】
１、２、３、４、５  生体データ管理システム、  １０  歩数計、  １１、２１、３１、４１、６１  機能ブロック、  １２  測定情報送信部、  ２０  業務用の血圧計、  ２２、２２’、２２’’  生体データ測定部、  ２３  生体データ送信部、  ３０  業務用の体組成計、  ３２、３２’  設定情報入力部、  ３３、３３’、３３’’  設定情報送信部、  ４０  レシーバ、  ４２  生体データ管理部、  ４３  出力部、  ４４  判断部、  ４５、４５’  データ送受信装置側設定情報送信部、  ４６、４６’  通知部、  ４７、４７’  設定情報管理部、  ４８、４８’  データ送受信装置側生体データ送信部、    ５０ａ、５０ｂ、５０ｃ  データベース、  ５１  歩数計ＩＤ欄、  ５２  被測定者ＩＤ欄、  ５３  血圧欄、  ５４  体脂肪率欄、  ５５  身長欄、  ５６  性別欄、  ５７  年齢欄、  ６０  家庭用レシーバ、  ７０  家庭用体組成計、  ８０  家庭用血圧計、  ９０  ネットワーク、  １００  サーバ、  １０２、１２２  記録装置、  １２０  他のサーバ。
【図１】
2009000392.tif 000003
【図２】
2009000392.tif 000004
【図３】
2009000392.tif 000005
【図４】
2009000392.tif 000006
【図５】
2009000392.tif 000007
【図６】
2009000392.tif 000008
【図７】
2009000392.tif 000009
【図８】
2009000392.tif 000010
【図９】
2009000392.tif 000011
【図１０】
2009000392.tif 000012